(57)【要約】【課題】基本画面に対してボタン操作等を行うことなく他の端末から取得した情報を知ることができる表示方法、プログラム及び表示システムを提供する。【解決手段】表示方法は、表示部を有する表示端末の表示部に表示する表示方法である。表示方法は、表示部の基本画面Ｇ１の第１表示領域Ｒ１に、表示端末と通信可能な複数の通信端末のうち表示端末と通信を行った通信端末と、表示端末との間の当該通信により取得した画像Ｐ１を表示する。【選択図】図４
2020077348.tif 000002
【特許請求の範囲】
【請求項１】
表示部を有する表示端末の前記表示部に表示する表示方法であって、
前記表示部の基本画面の情報表示領域に、前記表示端末と通信可能な複数の通信端末のうち前記表示端末と通信を行った通信端末と、前記表示端末との間の当該通信により取得した取得情報を表示する、
表示方法。
【請求項２】
前記取得情報は、画像であり、
前記情報表示領域に、前記通信端末から取得した最新の画像を前記取得情報として表示する、
請求項１に記載の表示方法。
【請求項３】
前記情報表示領域で表示される前記取得情報と、前記複数の通信端末のうち通信を行った１つ以上の通信端末から取得した他の取得情報とを含む情報群を表示する画面へと前記基本画面から遷移するための遷移関連情報を、前記基本画面の遷移関連表示領域に表示する、
請求項１又は２に記載の表示方法。
【請求項４】
前記情報表示領域で所定の操作が行われると、前記情報表示領域で表示されている前記取得情報に係る詳細情報を表示する画面へと前記基本画面から遷移する、
請求項１〜３のいずれか一項に記載の表示方法。
【請求項５】
前記表示端末が接続されるシステムの種類及び前記表示端末の設定の少なくとも一方に関連する操作に関し、表示態様の異なる複数の操作関連情報を、前記基本画面の操作関連表示領域に表示する、
請求項１〜４のいずれか一項に記載の表示方法。
【請求項６】
前記表示端末及び前記表示端末を含むシステムの少なくとも一方の動作を切り替えるための操作に係る操作切替関連情報を、前記基本画面の操作切替表示領域に表示する、
請求項１〜５のいずれか一項に記載の表示方法。
【請求項７】
前記表示端末が設けられた空間に関する状態を示す状態関連情報を、前記基本画面の状態表示領域に表示する、
請求項１〜６のいずれか一項に記載の表示方法。
【請求項８】
前記表示端末のユーザーに対する通知に関連する通知関連情報を、前記基本画面の通知表示領域に表示する、
請求項１〜７のいずれか一項に記載の表示方法。
【請求項９】
請求項１〜８のいずれか１項に記載の表示方法をコンピュータで実行するためのプログラム。
【請求項１０】
複数の通信端末のうち、通信を行った通信端末からの通信に伴って前記通信端末から取得した取得情報を、基本画面の情報表示領域に表示するよう、表示部を制御する表示制御部を、備える、
表示システム。
【発明の詳細な説明】
【技術分野】
【０００１】
本開示は、一般に表示方法、プログラム及び表示システムに関し、より詳細には他の端末との通信により取得した情報を表示する表示方法、プログラム及び表示システムに関する。
【背景技術】
【０００２】
従来、複数種類の情報を表示する表示端末が知られている（例えば、特許文献１参照）。特許文献１では、各情報を表示するために複数のコンテンツボタンを含むトップ画面がインターホン親機のＬＣＤに表示される。インターホン親機は、いずれかのコンテンツボタンが選択されると、選択されたコンテンツボタンに対応した情報を表示する。
【先行技術文献】
【特許文献】
【０００３】
【特許文献１】特開２０１６−１４４１４６号公報
【発明の概要】
【発明が解決しようとする課題】
【０００４】
特許文献１では、トップ画面（基本画面）にコンテンツボタンが表示される。しかしなら、コンテンツボタンに対応する情報の内容、つまり他の端末から取得した情報を、インターホン親機（表示端末）の操作者は、コンテンツボタンを選択するまでは知ることはできない。
【０００５】
本開示は上記課題に鑑みてなされ、基本画面に対してボタン操作等を行うことなく他の端末から取得した情報を知ることができる表示方法、プログラム及び表示システムを提供することを目的とする。
【課題を解決するための手段】
【０００６】
本開示の一態様に係る表示方法は、表示部を有する表示端末の前記表示部に表示する。前記表示方法は、前記表示部の基本画面の情報表示領域に、前記表示端末と通信可能な複数の通信端末のうち前記表示端末と通信を行った通信端末と、前記表示端末との間の当該通信により取得した取得情報を表示する。
【０００７】
本開示の一態様に係るプログラムは、前記表示方法をコンピュータで実行するためのプログラムである。
【０００８】
本開示の一態様に係る表示システムは、表示制御部を備える。前記表示制御部は、複数の通信端末のうち、通信を行った通信端末からの通信に伴って前記通信端末から取得した取得情報を、基本画面の情報表示領域に表示するよう、表示部を制御する。
【発明の効果】
【０００９】
本開示によると、基本画面に対してボタン操作等を行うことなく他の端末から取得した情報を知ることができる。
【図面の簡単な説明】
【００１０】
【図１】図１は、一実施形態に係るインターホン親機の構成を示すブロック図である。
【図２】図２は、同上のインターホン親機を含むインターホンシステムの構成を示すシステム構成図である。
【図３】図３は、同上のインターホン親機の外観を示す外観図である。
【図４】図４は、同上のインターホン親機で表示される基本画面を説明する図である。
【図５】図５は、同上のインターホン親機で表示される基本画面の第１表示領域での表示内容の別例を説明する図である。
【図６】図６は、同上のインターホン親機で表示される再生画面を説明する図である。
【図７】図７は、同上のインターホン親機で表示されるタイムライン画面を説明する図である。
【図８】図８は、同上のインターホン親機で表示されるカレンダ形式画面を説明する図である。
【図９】図９は、同上のインターホン親機で表示される第１呼出操作画面を説明する図である。
【図１０】図１０は、同上のインターホン親機で表示される第２呼出操作画面を説明する図である。
【図１１】図１１は、同上のインターホン親機で表示されるモニタ選択画面を説明する図である。
【図１２】図１２は、同上のインターホン親機で表示されるコンテンツ選択画面を説明する図である。
【図１３】図１３は、同上のインターホン親機で表示される操作選択画面を説明する図である。
【図１４】図１４は、同上のインターホン親機で表示される防犯設定画面を説明する図である。
【図１５】図１５は、同上のインターホン親機で表示される警報画面を説明する図である。
【図１６】図１６は、同上のインターホン親機で表示される複数用警報画面を説明する図である。
【図１７】図１７は、同上のインターホン親機で表示されるメッセージ表示画面を説明する図である。
【図１８】図１８は、同上のインターホン親機で表示される設定表示画面を説明する図である。
【図１９】図１９は、同上のインターホン親機で表示される設定表示画面において呼出通話が選択された場合について説明を行うための図である。
【図２０】図２０は、同上のインターホン親機で表示される第１住戸間通話設定画面を説明する図である。
【図２１】図２１は、同上のインターホン親機で表示される第２住戸間通話設定画面を説明する図である。
【図２２】図２２は、同上のインターホン親機で表示される第１住戸選択画面を説明する図である。
【図２３】図２３は、同上のインターホン親機で表示される第２住戸選択画面を説明する図である。
【図２４】図２４は、同上のインターホン親機で表示される通話先設定画面を説明する図である。
【図２５】図２５は、同上のインターホン親機で表示される第１確認画面を説明する図である。
【図２６】図２６は、同上のインターホン親機で表示される第２確認画面を説明する図である。
【図２７】図２７は、同上のインターホン親機で表示される呼出表示画面を説明する図である。
【図２８】図２８は、同上のインターホン親機で表示される居留守設定画面を説明する図である。
【図２９】図２９は、同上のインターホン親機で表示される第１映像範囲設定画面を説明する図である。
【図３０】図３０は、同上のインターホン親機で表示される第２映像範囲設定画面を説明する図である。
【図３１】図３１は、同上のインターホン親機で表示される第３映像範囲設定画面を説明する図である。
【図３２】図３２は、同上のインターホン親機で表示される第４映像範囲設定画面を説明する図である。
【図３３】図３３は、同上のインターホン親機で表示される呼出画面を説明する図である。
【図３４】図３４は、同上のインターホン親機で表示される第１伝言画面を説明する図である。
【図３５】図３５は、同上のインターホン親機で表示される第２伝言画面を説明する図である。
【図３６】図３６は、同上のインターホン親機で表示される設定表示画面において音が選択された場合について説明を行うための図である。
【図３７】図３７は、同上のインターホン親機で表示される呼出音設定画面を説明する図である。
【図３８】図３８は、同上のインターホン親機で表示される設定表示画面において画面が選択された場合について説明を行うための図である。
【図３９】図３９は、同上のインターホン親機で表示されるお手入れ画面を説明する図である。
【図４０】図４０は、同上のインターホン親機で表示される補正画面を説明する図である。
【図４１】図４１は、同上のインターホン親機で表示されるズーム画面を説明する図である。
【図４２】図４２は、同上のインターホン親機で表示される変更画面を説明する図である。
【図４３】図４３は、同上のインターホン親機で表示される施工設定画面を説明する図である。
【図４４】図４４は、同上のインターホン親機で表示される第１回路設定画面を説明する図である。
【図４５】図４５は、同上のインターホン親機で表示される第２回路設定画面を説明する図である。
【図４６】図４６は、同上のインターホン親機で表示される第３回路設定画面を説明する図である。
【図４７】図４７は、同上のインターホン親機で表示される着信通話終了画面を説明する図である。
【図４８】図４８は、同上のインターホン親機で表示される基本画面の変形例について説明する図である。
【発明を実施するための形態】
【００１１】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１２】
（実施形態）
以下、本実施形態に係る表示システム１としての表示端末、及び当該表示端末を備えるシステムについて、図１〜図４８を用いて説明する。
【００１３】
（１）概要
本実施形態では、表示システム１としての表示端末は、インターホンシステム２が備えるインターホン親機１０である（図１、図２参照）。
【００１４】
インターホンシステム２は、図２に示すように、複数の（図示例では３つ）インターホン親機１０と、複数（図示例では３つ）の玄関子機２０と、ロビーインターホン３０と、制御装置４０と、管理室装置５０と、を備える。本実施形態では、インターホンシステム２が施設５としての集合住宅に用いられる場合を例として説明する。
【００１５】
ロビーインターホン３０は、例えば、集合住宅のロビーなどの共用部Ｅ１に設置される。集合住宅は、共用部Ｅ１の他、複数の住戸Ｅ２を有している。インターホン親機１０は、住戸Ｅ２ごとに当該住戸Ｅ２内に設置される。玄関子機２０は、例えば、住戸Ｅ２ごとに当該住戸Ｅ２の外玄関に設置される。
【００１６】
ロビーインターホン３０とインターホン親機１０とは、制御装置４０を介して互いに通信可能に構成されている。これにより、本実施形態に係るインターホンシステム２では、ロビーインターホン３０とインターホン親機１０との間で通話可能となる。インターホン親機１０と玄関子機２０とは、互いに通信可能に構成されている。さらに、インターホン親機１０と管理室装置５０とは、制御装置４０を介して互いに通信可能に構成されている。つまり、玄関子機２０、ロビーインターホン３０及び管理室装置５０は、インターホン親機１０と通信可能であり、本開示の通信端末に相当する。
【００１７】
ロビーインターホン３０は、撮像装置を備える。ロビーインターホン３０は、来訪者が呼出操作を行うと、撮像装置による来訪者の撮像を開始する。ロビーインターホン３０は、撮像した画像のデータを、制御装置４０を介してインターホン親機１０に送信する。さらに、ロビーインターホン３０は、住戸Ｅ２内の居住者を呼び出すための制御信号（呼出信号）をインターホン親機１０に制御装置４０を介して送信する。ロビーインターホン３０は、インターホン親機１０に対する操作によりインターホン親機１０との間で通話が可能になると、来訪者の音声を含む音のデータを制御装置４０を介してインターホン親機１０に送信する。ロビーインターホン３０は、インターホン親機１０の操作者の音のデータを制御装置４０を介して受け取ると、受け取ったデータに基づく音（操作者の音声を含む）を出力する。
【００１８】
インターホン親機１０は、ロビーインターホン３０から画像のデータを受信すると、受信した画像のデータを基に、ロビーインターホン３０が撮像した画像を表示する。
【００１９】
インターホン親機１０が制御信号（呼出信号）をロビーインターホン３０から受信している状態（つまり、来訪者からロビーインターホン３０を介して呼出がある状態）で住戸Ｅ２内の住居者は、ロビーインターホン３０との通話又はロビーの扉の解錠の操作を行う。
【００２０】
制御装置４０は、ロビーインターホン３０から制御信号（呼出信号）を受け取ると、呼出対象のインターホン親機１０に送信する。さらに、制御装置４０は、ロビーインターホン３０から画像のデータを受け取ると、呼出対象のインターホン親機１０に当該画像のデータを送信する。制御装置４０は、ロビーインターホン３０とインターホン親機１０との間で通話が可能な状態である場合には、来訪者の音声を含む音データ及び操作者の音声を含む音のデータを送受信する。さらに、制御装置４０は、インターホン親機１０の操作に応じて、例えば住戸Ｅ２に設けられた扉の施錠、解錠を行う。
【００２１】
制御装置４０は、施設５の外にある装置と通信可能に構成されている。例えば、制御装置４０は、気象データを配信するサービスを行う気象サーバと通信可能である。この場合、制御装置４０は、気象サーバから施設５を含む地域の天気及び降水確率等を含む気象情報を受信し、各インターホン親機１０に送信する。
【００２２】
制御装置４０は、インターホン親機１０の指示により、施設５に設けられたエレベータ制御装置６０を制御する。エレベータ制御装置６０は、施設５に設けられたエレベータを制御する装置である。制御装置４０は、インターホン親機１０からエレベータの制御に係る指示を受け付けると、インターホン親機１０の住戸Ｅ２が存在する階にエレベータを移動させる移動指示を、エレベータ制御装置６０に送信する。
【００２３】
エレベータ制御装置６０は、移動指示を受け付けると、指定された階にエレベータが移動するように、エレベータを制御する。
【００２４】
玄関子機２０は、撮像装置を備える。玄関子機２０は、来訪者が呼出操作を行うと、撮像装置による来訪者の撮像を開始する。玄関子機２０は、撮像した画像のデータをインターホン親機１０に送信する。さらに、玄関子機２０は、住戸Ｅ２内の居住者を呼び出すための制御信号（呼出信号）をインターホン親機１０に送信する。玄関子機２０は、インターホン親機１０に対する操作によりインターホン親機１０との間で通話が可能になると、音のデータをインターホン親機１０に送信する。玄関子機２０は、インターホン親機１０の操作者の音声を含む音のデータを受け取ると、受け取ったデータに基づく音（操作者の音声を含む）を出力する。
【００２５】
また、本実施形態では、住戸Ｅ２の各々は、感知器７０及びセンサ７５を備える。
【００２６】
感知器７０は、例えば火災感知器、ガス感知器等である。図示例では１つの感知器７０を記載しているが、本実施形態では、住戸Ｅ２は、火災感知器としての感知器７０、ガス感知器としての感知器７０等、複数の感知器７０を備える。感知器７０は、異常の有無を検知する検知部と、異常を検知した場合には当該異常を検知した旨を報知する報知部と、通信部とを、備える。感知器の通信部は、異常を検知した場合に異常を検知したことを表す情報を検知結果として、無線による通信でインターホン親機１０に通知する。
【００２７】
センサ７５は、住戸Ｅ２の玄関扉の施解錠を検知するセンサ、窓の施解錠を検知するセンサ等である。図示例では１つのセンサ７５を記載しているが、本実施形態では、住戸Ｅ２は、住戸Ｅ２の玄関扉の施解錠を検知するセンサ、窓の施解錠を検知するセンサ等複数のセンサ７５を備える。センサ７５は、鍵の施解錠を検知する施解錠検知部と、鍵の施解除の監視を行っている場合に施解錠検知部が鍵の解錠を検知すると報知する報知部と、通信部とを、備える。センサ７５の通信部は、鍵の施解除の監視を行っている場合に施解錠検知部が鍵の解錠を検知すると、その旨を検知結果として、無線による通信でインターホン親機１０に通知する。
【００２８】
管理室装置５０は、制御装置４０を介して、各インターホン親機１０と通信可能に構成されている。
【００２９】
各インターホン親機１０は、制御装置４０を介して、ロビーインターホン３０及び玄関子機２０との通話の他、管理室装置５０との通話、及び他の住戸Ｅ２に設けられた他のインターホン親機１０との通話も可能である。また、各インターホン親機１０は、制御装置４０を介して、施設５に設けられた住戸Ｅ２とは異なる空間（例えば、キッズルーム）に設けられた装置との通話も可能である。さらに、施設５の他、他の施設が施設５と同一の敷地に設けられている場合には、各インターホン親機１０は、制御装置４０を介して、他の施設のインターホン親機とも通話可能である。施設５に防災センターが設けられている場合には、各インターホン親機１０は、制御装置４０を介して、防災センターの装置と通信可能である。ここで、防災センターの装置との通信は双方向の通信であってもよいし、防災センターの装置から各インターホン親機１０への一方向の通信であってもよい。要は、各インターホン親機１０は、防災センターの装置との通信により少なくとも防災センターからの情報を受け取る構成を含んでいればよい。なお、防災センターは、施設５の外部に設けられてもよい。
【００３０】
施設５の他のインターホン親機１０、施設５のキッズルーム等に設けられた装置、他の施設のインターホン親機及び防災センターの装置についても、インターホン親機１０と通信可能であり、本開示の通信端末に相当する。
【００３１】
以下の説明において、玄関子機２０、ロビーインターホン３０、管理室装置５０、施設５の他のインターホン親機１０、施設５のキッズルーム等に設けられた装置、他の施設のインターホン親機及び防災センターの装置を総称して通信端末という。
【００３２】
（２）構成
ここでは、表示端末としてのインターホン親機１０の構成について説明する。
【００３３】
インターホン親機１０は、図１に示すように、第１通信部１１と、第２通信部１２と、第３通信部１３と、第４通信部１４と、表示部１５と、操作部１６と、通話部１７と、記憶部１８と、制御部１９と、を備える。なお、インターホン親機１０は、複数の装置から構成されてもよい。
【００３４】
インターホン親機１０は、例えばプロセッサ及びメモリを有するコンピュータシステムを有している。そして、プロセッサがメモリに格納されているプログラムを実行することにより、コンピュータシステムが制御部１９として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。
【００３５】
第１通信部１１は、制御装置４０と通信するための通信インタフェースである。第１通信部１１は、制御装置４０を介してロビーインターホン３０に接続されている。例えば、第１通信部１１は、ロビーインターホン３０から送信される画像を受信する。さらに、ロビーインターホン３０との間で音信号及び制御信号が双方向に伝送可能となるよう、第１通信部１１は、ロビーインターホン３０との間で双方向に通信可能に構成されている。
【００３６】
第２通信部１２は、玄関子機２０と通信するための通信インタフェースである。第２通信部１２は、例えばツイストペア線等からなる２線式の伝送路を介して、玄関子機２０と電気的に接続されている。
【００３７】
第３通信部１３は、感知器７０と通信するための通信インタフェースである。第３通信部１３は、有線による通信により、感知器７０の検知結果を感知器７０から受信する。なお、感知器７０との通信は無線であってもよい。
【００３８】
第４通信部１４は、センサ７５と通信するための通信インタフェースである。第４通信部１４は、例えば、９２０ＭＨｚ帯の電波を利用した無線通信により、センサ７５の検知結果を感知器７０から受信する。
【００３９】
表示部１５は、ロビーインターホン３０及び玄関子機２０から送信される画像を表示する。本実施形態において、操作部１６の一部と、表示部１５とは、タッチパネルにより実現される。つまり、表示部１５は、画像の他、操作部１６の一部であるボタン等を表示する。
【００４０】
操作部１６は、通話関連ボタン１５０、解錠ボタン１５１、警報音関連ボタン１５２、火災確定ボタン１５３、非常ボタン１５４、ホームボタン１５５、終了ボタン１５６を含む（図３参照）。さらに、上述したように、操作部１６は、表示部１５に表示されるボタンを含む。操作部１６は、表示部１５に表示されたボタンが押されることで、当該ボタンに応じた指示を受け付ける。
【００４１】
操作部１６は、住戸Ｅ２内の住居者の操作を受け付ける。第１通信部１１が住居者を呼び出すための制御信号（呼出信号）をロビーインターホン３０から受信している状態で通話関連ボタン１５０に対して所定の操作（例えば、押操作）が行われると、インターホン親機１０とロビーインターホン３０との間で通話可能な状態となる。また、通話可能時に通話関連ボタン１５０に対して再度所定の操作が行われると通話が終了する。つまり、インターホン親機１０と呼出元であるロビーインターホン３０との通信が終了する。
【００４２】
第１通信部１１が呼出信号をロビーインターホン３０から受信している状態、又はロビーインターホン３０と通話可能な状態で、解錠ボタン１５１に対して所定の操作（例えば、押操作）が行われると、解錠信号が制御装置４０に送信される。このとき、制御装置４０は、扉の解錠を行う。
【００４３】
さらに、第２通信部１２が住居者を呼び出すための制御信号（呼出信号）を玄関子機２０から受信している状態で通話関連ボタン１５０に対して所定の操作（例えば、押操作）が行われると、インターホン親機１０と玄関子機２０との間で通話可能な状態となる。また、通話可能時に通話関連ボタン１５０に対して再度所定の操作が行われると通話が終了する。つまり、インターホン親機１０と呼出元である玄関子機２０との通信が終了する。
【００４４】
警報音関連ボタン１５２は、感知器７０の検知結果が誤報であった場合に操作される。住居者によって非常ボタン１５４に対して所定の操作（例えば、押操作）が行われると、感知器７０から発報されている警報が停止される。
【００４５】
火災確定ボタン１５３は、感知器７０の検知結果が誤報ではなく、火災が発生した場合に操作される。住居者によって非常ボタン１５４に対して所定の操作（例えば、押操作）が行われると、火災が発生している旨の情報が管理室装置に送信される。さらに、インターホン親機１０は、表示部１５に後述する警報画面Ｇ１１を表示する。
【００４６】
非常ボタン１５４は、非常時に住戸Ｅ２の住居者によって操作される。例えば、住居者によって非常ボタン１５４に対して所定の操作（例えば、押操作）が行われると、非常音が通話部１７のマイクロホンから報知される。非常ボタン１５４に対して再度所定の操作が行われると、非常音の報知は停止される。
【００４７】
ホームボタン１５５は、後述する基本画面Ｇ１（図４参照）を表示部１５に表示する場合に操作される。終了ボタン１５６は、表示部１５での画像の表示を終了する場合に操作される。
【００４８】
通話部１７は、スピーカ及びマイクロホンを含み、ロビーインターホン３０及び玄関子機２０との間で通話可能に構成されている。
【００４９】
記憶部１８は、ＲＯＭ（Read Only Memory）、ＲＡＭ（Random Access Memory）、又はＥＥＰＲＯＭ（Electrically Erasable Programmable Read Only Memory）等から選択されるデバイスで構成される。記憶部１８は、ロビーインターホン３０が撮像した画像のデータ及び集音した音声のデータを記憶する。記憶部１８は、玄関子機２０が撮像した画像のデータ及び集音した音声のデータを記憶する。記憶部１８は、管理室装置５０、他のインターホン親機１０、施設５内のキッズルームに設けられた装置、及び他の施設のインターホン親機との間の通話を記憶する。記憶部１８は、表示部１５が表示すべき画面に係るデータを記憶する。
【００５０】
制御部１９は、ロビーインターホン３０から制御信号（呼出信号）及び画像を、第１通信部１１を介して受け取ると、呼出音の音データを、通話部１７のスピーカに出力し、画像を表示部１５に出力する。
【００５１】
制御部１９は、玄関子機２０から制御信号（呼出信号及び画像を、第２通信部１２を介して受け取ると、呼出音の音データを、通話部１７のスピーカに出力し、画像を表示部１５に出力する。
【００５２】
制御部１９は、共用部Ｅ１に設けられた扉の解錠の操作がされると、解錠信号を制御装置４０に第１通信部１１を介して送信する。
【００５３】
制御部１９は、自機に対して留守モードが設定されている場合に、ロビーインターホン３０、玄関子機２０、管理室装置５０、他のインターホン親機１０等から通信があると、当該通信によって取得した情報を記憶部１８に記憶する。例えば、ロビーインターホン３０又は玄関子機２０から呼出信号を受け取ると、呼出信号の送信元で撮像された画像のデータ及び送信元で集音された音声のデータを記憶部１８に記憶する。なお、ロビーインターホン３０に撮像装置が設けられていない場合には、音声のデータのみをロビーインターホン３０から受け取り、記憶部１８に記憶する。同様に、玄関子機２０に撮像装置が設けられていない場合には、音声のデータのみを玄関子機２０から受け取り、記憶部１８に記憶する。
【００５４】
制御部１９は、管理室装置５０、他のインターホン親機１０又は他の施設のインターホン親機から呼出信号を受け取ると、呼出信号の送信元で集音された音声のデータを記憶部１８に記憶する。
【００５５】
さらに、施設５に宅配ボックスが設置されている場合は、制御部１９は、荷物が宅配ボックスに収納されていることを表す宅配情報を、制御装置４０を介して受け取る。制御部１９は、受け取った宅配情報を記憶部１８に記憶する。宅配情報は、例えば、荷物を収納した宅配ボックスの収納場所を表す情報（例えば、宅配ボックスの番号）を含む。
【００５６】
さらに、制御部１９は、防災センターの装置からの通知を、留守モード時に制御装置４０を介して受け取ると、受け取った通知を記憶部１８に記憶する。
【００５７】
制御部１９は、気象サーバから定期的に気象情報を取得し、取得した気象情報を記憶部１８に記憶する。
【００５８】
制御部１９は、図１に示すように、表示制御部１０１を有している。表示制御部１０１は、インターホン親機１０に対する操作に応じた画面を作成し、作成した画面を表示部１５に表示させる。表示制御部１０１は、表示部１５に表示すべき画面の遷移に係る処理、及び表示部１５が表示対象の画面を表示するように表示部１５を制御する。
【００５９】
制御部１９は、非常ボタン１５４に対して所定の操作が行われると、火災が発生している旨の情報を管理室装置に送信する。
【００６０】
また、表示制御部１０１は、記憶部１８が記憶する画像の再生（動画像の再生）及び音声の出力に係る処理を行う。具体的には、表示制御部１０１は、記憶部１８が記憶している画像のうち未再生の画像に対する再生及び音声の出力に係る処理を行う。
【００６１】
なお、インターホン親機１０は、インターネット等のネットワークを介してサーバと通信する通信部を有してもよい。
【００６２】
（３）画面
ここでは、インターホン親機１０が表示部１５で表示する各画面について説明する。なお、図４〜図４８における参照符号及び領域を囲む一点鎖線は、説明のために記載しているのみであり、実際の画面には表示されない。
【００６３】
（３−１）基本画面（初期画面）
まず、基本画面Ｇ１について、図４を用いて説明する。
【００６４】
基本画面Ｇ１は、インターホン親機１０に対して所定の操作が行われることで、表示部１５に表示される。例えば、ホームボタン１５５（図３参照）が押されることで、基本画面Ｇ１は表示部１５に表示される。言い換えると、ホームボタン１５５が押されると、表示制御部１０１は、基本画面Ｇ１を生成し、生成した基本画面Ｇ１を表示部１５に表示させる。
【００６５】
基本画面Ｇ１は、図４に示すように、第１表示領域Ｒ１、第２表示領域Ｒ２、第３表示領域Ｒ３、第４表示領域Ｒ４、第５表示領域Ｒ５、第６表示領域Ｒ６、第７表示領域Ｒ７及び第８表示領域Ｒ８を含む。
【００６６】
第１表示領域Ｒ１（情報表示領域）では、インターホン親機１０と通信端末との間の通信により取得した取得情報が表示される。具体的には、第１表示領域Ｒ１では、留守モード時に玄関子機２０及びロビーインターホン３０のいずれかの通信端末との通信で取得した画像（キャプチャ画像）Ｐ１が取得情報として表示される。また、第１表示領域Ｒ１では、留守モード時に管理室装置５０、施設５の他のインターホン親機１０、キッズルームの装置及び他の施設のインターホン親機等のいずれかの通信端末との通信で取得した取得情報（例えば通知があったことを表す情報）を表す画像が表示される。なお、画像Ｐ１として表示される取得情報は、留守モード時に取得した情報に限定されない。例えば、住戸Ｅ２の居住者が在宅中であっても呼出に応じなかったときに、当該呼出の通信によって取得した情報に係る画像を画像Ｐ１として表示してもよい。
【００６７】
第１表示領域Ｒ１では、画像Ｐ１の他、再生を指示するための画像Ｐ２及び画像Ｐ１が撮像された日時を表す日時情報Ｐ３が表示される。
【００６８】
留守モード時にインターホン親機１０が、１つの通信端末から複数の取得情報を取得した場合、２つ以上の通信端末のそれぞれから取得情報を取得した場合には、取得した取得情報のうち最新の取得情報が第１表示領域Ｒ１に表示される。
【００６９】
第１表示領域Ｒ１では、複数の通信端末のうち少なくとも１つの通信端末との通信により取得した情報が未だ再生されておらず、視聴されていないまたは聴かれていない場合には、未再生（未読）であることを示す未読情報であるアイコンＭ１０も併せて表示される。例えば、来客の記録があり、かつ未再生（未読）の情報がない場合には、アイコンＭ１０は表示されず、再生された情報のうち最新の情報が情報Ｐ１として第１表示領域Ｒ１に表示される。また、来客の記録があり、かつ未再生（未読）の情報がある場合には、アイコンＭ１０は表示され、未再生の情報のうち最新の情報が情報Ｐ１として第１表示領域Ｒ１に表示される。なお、アイコンＭ１０は、点滅表示されてもよいし、点灯表示されてもよい。
【００７０】
第２表示領域Ｒ２（遷移関連表示領域）では、第１表示領域Ｒ１で表示される画像Ｐ１（取得情報）と、複数の通信端末のうち通信を行った１つ以上の通信端末から取得した他の取得情報（画像）とを含む情報群を表示する画面へと基本画面Ｇ１から遷移するための遷移関連情報が表示される。本実施形態では、第２表示領域Ｒ２では、インターホン親機１０が、複数の通信端末のうち少なくとも１つの通信端末との通信により取得した情報を視聴する又は聴くためのアイコンである四角形状のボタンＢ１が遷移関連情報として表示される。ボタンＢ１には、ボタンＢ１に対して所定の操作（例えば、押操作）を行うことで、インターホン親機で実行される内容に係る文字列が表示される。本実施形態では、ボタンＢ１には、“通知を見る”という文字列（メッセージ）が表示される。これにより、ボタンＢ１に対して所定の操作を行うことで、通知を見ることができるようにインターホン親機１０が動作する、つまり動画像等の情報の再生を行う動作を行うことが分かる。
【００７１】
第２表示領域Ｒ２では、複数の通信端末のうち少なくとも１つの通信端末との通信により取得した情報が未だ再生されておらず、視聴されていないまたは聴かれていない場合には、未再生であることを示す未再生情報であるアイコンＭ１も併せて表示される。なお、アイコンＭ１０と同様に、アイコンＭ１は、点滅表示されてもよいし、点灯表示されてもよい。
【００７２】
第３表示領域Ｒ３（操作関連表示領域）は、インターホン親機１０が接続されるシステムの種類、及びインターホン親機１０の設定の少なくとも一方に関連する操作に関し、表示態様の異なる複数（図示例では４つ）の操作関連情報が表示される。ここで、表示態様とは、表示すべき図形（形状）、図形内に記載される記号、文字列、文字形状、色等のうち少なくとも１つを含む。本実施形態では、第３表示領域Ｒ３に含まれる後述するボタン（アイコン）に記載される記号及び名称（文字）が異なる。
【００７３】
本実施形態では、四角形状のアイコンである呼出操作ボタンＢ２、撮像操作ボタンＢ３、表示操作ボタンＢ４及び設備操作ボタンＢ５が、互いに表示態様が異なる操作関連情報として第３表示領域Ｒ３で表示される。呼出操作ボタンＢ２では、呼出操作に係る内容が表示される。撮像操作ボタンＢ３では、撮像装置の撮像操作に係る内容が表示される。表示操作ボタンＢ４では、外部装置からの通知の表示に係る内容が表示される。ここで、外部装置とは、例えば電力使用量を監視するシステム、又は住戸Ｅ２の居住者に通知する情報を蓄積するシステム等に備えられる装置である。設備操作ボタンＢ５では、施設５の設備（例えばエレベータの制御に係るシステム）及び住戸Ｅ２に設けられた設備（例えば防犯に係るシステム）の操作に関する内容が表示される。
【００７４】
呼出操作ボタンＢ２は、インターホン親機１０の設定操作に関連する操作関連情報である。撮像操作ボタンＢ３は、インターホン親機１０が接続されるインターホンシステム２の通信端末（ここでは、玄関子機２０及びロビーインターホン３０）の種類（接続先）の設定に関連する操作関連情報である。表示操作ボタンＢ４及び設備操作ボタンＢ５は、インターホン親機１０が接続されるシステムの種類（接続先）の設定に関連する操作関連情報である。例えば、表示操作ボタンＢ４は、インターホン親機１０が接続されるシステムの種類として、電力使用量を監視するシステム及び住戸Ｅ２の居住者に通知する情報を蓄積するシステムのいずれかの設定に関連する操作関連情報である。また、設備操作ボタンＢ５は、インターホン親機１０が接続されるシステムの種類として、エレベータの制御に係るシステム及び防犯に係るシステムのいずれかの設定に関連する操作関連情報である。
【００７５】
第４表示領域Ｒ４（操作切替表示領域）は、インターホン親機１０及びインターホン親機１０を含むシステムの少なくとも一方の動作を切り替えるための操作に係る操作切替関連情報が表示される。本実施形態では、インターホン親機１０が留守モードで動作するか否かを切り替えるスライド形式の第１切替ボタンＢ６（アイコン）と、当該第１切替ボタンＢ６の操作に対応する動作内容（ここでは、“留守”）が操作切替関連情報として第４表示領域Ｒ４に表示される。なお、第１切替ボタンＢ６は、インターホン親機１０を含むシステムとしての防犯システムの動作を切り替えてもよい。例えば、この場合、第１切替ボタンＢ６の操作によりインターホン親機１０の動作モードを留守モードとし、防犯システムは住戸Ｅ２の監視を開始する。
【００７６】
第５表示領域Ｒ５（状態表示領域）では、インターホン親機１０が設けられた空間（住戸Ｅ２）に関する状態を示す状態関連情報（例えば、ボタン形状のアイコン）が表示される。第５表示領域Ｒ５では、当該状態関連情報として、住戸Ｅ２に対して防犯の監視動作を切り替えるためのスライド形式の第２切替ボタンＢ７（アイコン）と、当該第２切替ボタンＢ７の操作に対応する動作内容（ここでは、“防犯”）が表示される。さらに、第５表示領域Ｒ５では、防犯の監視対象での状況を表すアイコンをも状態関連情報として表示する状況表示領域Ｒ１０を含む。例えば、状況表示領域Ｒ１０において、監視対象を表すアイコン（例えば扉のアイコン）が表示される。表示制御部１０１は、監視の状態及び監視対象の状態に応じて、表示されるアイコンの形態を変化させる。例えば、表示制御部１０１は、扉が開いている（解錠されている）場合には扉が開いた状態のアイコンを、扉が閉じている（施錠されている）場合には扉が閉まっている状態のアイコンを、表示させる。また、表示制御部１０１は、監視中である場合のアイコンの色と、非監視中である場合のアイコンの色とを変化させて表示させる。例えば、表示制御部１０１は、監視中であればアイコンを青色で、非監視中であればアイコンを橙色で、それぞれ表示させる。また、監視中に異常を検知した場合（例えば、留守中に扉が開いたことを検知した場合）には、警報を発報中であることを示すアイコンここでは鍵の形状のアイコンが扉のアイコンに加えて表示される（図４参照）。
【００７７】
第６表示領域Ｒ６（通知表示領域）では、インターホン親機１０のユーザー（住戸Ｅ２の住居者）に対する通知に関連する通知関連情報が表示される。第６表示領域Ｒ６では、感知器７０から受け取った検知結果が記憶部１８に記憶されていることを表すアイコンである四角形状の警報通知ボタンＢ８が通知関連情報として表示される。警報通知ボタンＢ８には、警報通知ボタンＢ８の操作に対応する通知の内容が表示される。ここでは、警報通知ボタンＢ８には、通知の内容として“警報”が表示される。さらに、警報としての通知内容（検知結果）が未表示である場合には、未表示であることを示すアイコンＭ２も併せて表示される。
【００７８】
第６表示領域Ｒ６では、管理室装置５０との通信により取得した情報（例えば、管理人からの通知）が記憶部１８に記憶されていることを表すアイコンである四角形状の管理人通知ボタンＢ９が通知関連情報として表示される。管理人通知ボタンＢ９には、管理人通知ボタンＢ９の操作に対応する通知内容が表示される。ここでは、管理人通知ボタンＢ９には、通知内容として“管理連絡”が表示される。さらに、管理連絡としての通知内容が未表示（又は未再生）である場合には、未表示（又は未再生）であることを示すアイコンＭ３も併せて表示される。
【００７９】
さらに、第６表示領域Ｒ６では、宅配ボックスに荷物が収納されている場合には、その旨を表すアイコンである四角形状の宅配通知ボタンＢ１０が通知関連情報として表示される。宅配通知ボタンＢ１０には、宅配通知ボタンＢ１０の操作に対応する通知内容が表示される。ここでは、宅配通知ボタンＢ１０には、通知内容として“宅配”が表示される。さらに、宅配としての通知内容が未表示（又は未再生）である場合には、未表示（又は未再生）であることを示すアイコンＭ４も併せて表示される。
【００８０】
なお、アイコンＭ１０と同様に、アイコンＭ２〜Ｍ４は、点滅表示されてもよいし、点灯表示されてもよい。
【００８１】
第７表示領域Ｒ７では、インターホン親機１０に対する設定に関連する設定関連情報が表示される。第７表示領域Ｒ７では、インターホン親機１０に対する設定を行うためのアイコンであるボタンＢ１１が設定関連情報として表示される。ここで、インターホン親機１０に対する設定とは、音量設定、通話に係る設定、録画設定、画面設定、防犯設定及び現状の設定の初期化等である。
【００８２】
第８表示領域Ｒ８では、気象サーバから取得した最新の気象情報、例えば天気及び降水確率が表示される。
【００８３】
なお、自機との通信相手に撮像装置が設けられていない場合には、画像Ｐ１の代わりに音声のデータのみの再生であることを示す画像Ｐ５が取得情報として表示される（図５参照）。
【００８４】
（３−２）再生画面
再生画面Ｇ２は、基本画面Ｇ１の第１表示領域Ｒ１に対して所定の操作（例えば、押操作）が行われることで、表示部１５に表示される。言い換えると、第１表示領域Ｒ１に対して所定の操作が行われると、表示制御部１０１は、再生画面Ｇ２を生成し、生成した再生画面Ｇ２を表示部１５に表示させる。
【００８５】
再生画面Ｇ２は、図６に示すように、再生領域Ｒ２１、再生用操作領域Ｒ２２及び画面遷移用操作領域Ｒ２３を含む。
【００８６】
再生領域Ｒ２１では、再生すべき画像Ｐ１が表示される。例えば、再生領域Ｒ２１には、留守モード時に玄関子機２０及びロビーインターホン３０のいずれかの通信端末との通信で取得した動画像Ｐ２１が表示される。このとき、動画像Ｐ２１の音声は、通話部１７のスピーカから出力される。
【００８７】
留守モード時にインターホン親機１０が、１つの通信端末から複数の情報を取得した場合、２つ以上の通信端末のそれぞれから情報を取得した場合には、最新の情報から順次表示（再生）される。再生対象が音声のみである場合には、図５に示す画像Ｐ５と同様の画像が再生領域Ｒ２１に表示される。
【００８８】
再生用操作領域Ｒ２２では、再生に係る操作に係る情報が表示される。本実施形態では、再生用操作領域Ｒ２２では、四角形状のアイコンである音量ボタンＢ２１、消去ボタンＢ２２、解除ボタンＢ２３、先送りボタンＢ２４、後送りボタンＢ２５、停止ボタンＢ２６及び表示切替ボタンＢ２７を含む。
【００８９】
音量ボタンＢ２１は、再生時において通話部１７のスピーカから出力される音声の音量を調整する場合に操作される。消去ボタンＢ２２は、再生対象の情報を記憶部１８から削除する場合に操作される。
【００９０】
解除ボタンＢ２３は、表示中の画像が保護された状態である場合に表示される。解除ボタンＢ２３は、表示中の画像に対する保護状態を解除する場合に操作される。未再生の画像に対しては初期状態として保護されていない状態（非保護状態）となっている。非保護状態の画像が表示されている場合には、解除ボタンＢ２３の代わりに保護ボタンが表示される。保護ボタンに対して所定の操作（例えば、押操作）が行われると、制御部１９は、表示中の画像を保護状態とし、表示されるボタンを保護ボタンから解除ボタンへと変更する。ここで、保護状態とは、画像にプロテクトがかけられて削除できない状態のことである。非保護状態とは、画像にかけられたプロテクトが解除され削除可能な状態のことである。保護状態である場合には、表示制御部１０１は、保護状態であることを表すアイコン（例えば、鍵の形状の図形）等を動画像Ｐ２１に重畳させて表示部１５に表示させてもよい。
【００９１】
先送りボタンＢ２４は、再生対象の情報が複数存在する場合に、再生順序が最後の情報にスキップする際に操作される。後戻りボタンＢ２５は、再生対象の情報が複数存在する場合に、再生順序が最初の情報にスキップする（戻る）際に操作される。停止ボタンＢ２６は、再生を停止する際に操作される。表示切替ボタンＢ２７は、再生用操作領域Ｒ２２及び画面遷移用操作領域Ｒ２３で表示される各ボタンの表示の切り替えを行う場合に操作される。図６では、各ボタンの表示が許可された状態（表示ＯＮ状態）となっている。この状態で、表示切替ボタンＢ２７に対して所定の操作（例えば、押操作）が行われると、各ボタンは非表示の状態（表示ＯＦＦ状態）となる。
【００９２】
画面遷移用操作領域Ｒ２３は、画面遷移の操作に係る情報を表示する。画面遷移用操作領域Ｒ２３では、四角形状のアイコンであるボタンＢ２８が表示される。ボタンＢ２８は、再生画面Ｇ２に遷移する前の画面（ここでは、基本画面Ｇ１）に遷移する際に操作される。
【００９３】
（３−３）タイムライン画面
タイムライン画面Ｇ３は、第２表示領域Ｒ２のボタンＢ１に対して所定の操作（例えば、押操作）が行われることで、表示部１５に表示される。言い換えると、第２表示領域Ｒ２のボタンＢ１に対して所定の操作が行われると、表示制御部１０１は、タイムライン画面Ｇ３を生成し、生成したタイムライン画面Ｇ３を表示部１５に表示させる。
【００９４】
タイムライン画面Ｇ３は、図７に示すように、一覧表示領域Ｒ３１、タグ表示領域Ｒ３２、第１操作領域Ｒ３３、第２操作領域Ｒ３４及び第３操作領域Ｒ３５を含む。
【００９５】
一覧表示領域Ｒ３１では、再生対象の取得情報Ｐ３１〜Ｐ３７がサムネイル形式で時系列に沿って表示される。本実施形態では、時系列の軸に、日付及び曜日が表示され、日付に対応するように再生対象のサムネイル形式の取得情報（キャプチャ画像）が表示される。一覧表示領域Ｒ３１では、表示された複数の取得情報（キャプチャ画像）Ｐ３１〜Ｐ３７に対応する複数の時刻がそれぞれ表示される。ここで、時刻は、対応する情報が取得された時刻である。図７で示すタイムライン画像Ｇ３では、取得情報Ｐ３１〜Ｐ３７は、上下に分けて表示されている。そのため、複数の取得情報を直線上に並べて表示する場合と比較して一覧表示領域Ｒ３１を大きくすることができる。これにより、取得情報Ｐ３１〜Ｐ３７を見易く表示できる。
【００９６】
さらに、一覧表示領域Ｒ３１では、未だ再生がされていない取得情報に対しては、未再生であることを示すアイコンＭ３１も併せて表示される。本実施形態では、複数の取得情報（キャプチャ画像）Ｐ３１〜Ｐ３７は未だ再生がされていないため、全ての取得情報（キャプチャ画像）Ｐ３１〜Ｐ３７に対してアイコンＭ３１が表示されている。
【００９７】
一覧表示領域Ｒ３１で表示される取得情報Ｐ３１〜Ｐ３７のうち１つの取得情報に対して所定の操作（例えば押操作）が行われると、再生画面Ｇ２に遷移し、操作対象の取得情報の再生が行われる。このとき、再生対象の取得情報が、画像及び音声の双方である場合には動画像及び音声の再生が行われる。再生対象の取得情報が、音声のみである場合には音声の再生が行われる。再生対象の取得情報が、画像（文字）のみである場合には画像（文字）の再生（表示）のみが行われる。
【００９８】
タグ表示領域Ｒ３２では、複数のタグＢ３１〜Ｂ３５が表示される。複数のタグＢ３１〜Ｂ３５のそれぞれは、一覧表示領域Ｒ３１で表示される取得情報の種別を示す。複数のタグＢ３１〜Ｂ３５のうち１つのタグが選択されると、選択されたタグに応じた取得情報が一覧表示領域Ｒ３１に表示される。
【００９９】
例えば、新着を表すタグＢ３２が選択されると、通信端末を呼出元とする通信で取得した取得情報であって未再生のすべての取得情報に係るサムネイル画像が一覧表示領域Ｒ３１で表示される。ただし、表示に係る取得情報の数が所定数を超え、一画面で表示できない場合がある。この場合には、スクロールバー又はページの切替ボタン等が表示される。来客を表すタグＢ３３が選択されると、玄関子機２０及びロビーインターホン３０、施設５の他のインターホン親機１０及び他の施設のインターホン親機のいずれかを呼出元とする通信より取得した取得情報に係るサムネイル画像（例えば、取得情報Ｐ３３，Ｐ３４）のみが一覧表示領域Ｒ３１で表示される。管理を表すタグＢ３４が選択されると、管理室装置５０及び防災センターの装置のいずれかを呼出元とする通信より取得した取得情報に係るサムネイル画像（例えば、取得情報Ｐ３１，Ｐ３２）のみが一覧表示領域Ｒ３１で表示される。お知らせを表すタグＢ３５が選択されると、外部の装置から取得した取得情報に係るサムネイル画像（例えば、取得情報Ｐ３５，Ｐ３６，Ｐ３７）のみが一覧表示領域Ｒ３１で表示される。
【０１００】
第１操作領域Ｒ３３は、一覧表示領域Ｒ３１で表示される取得情報Ｐ３１〜Ｐ３７を強制的に再生済み（既読）とする際の操作される四角形状のアイコンであるボタンＢ３６を含む。第２操作領域Ｒ３４では、後述するカレンダ形式画面Ｇ４へ画面遷移を行う際に操作される四角形状のアイコンであるボタンＢ３７が表示される。第３操作領域Ｒ３５では、タイムライン画面Ｇ３に遷移する前の画面（ここでは、基本画面Ｇ１）に遷移する際に操作される四角形状のアイコンであるボタンＢ３８が表示される。
【０１０１】
なお、タイムライン画面において、新着を表すタグＢ３２が選択された場合、インターホン親機１０を呼出元として他の住戸Ｅ２のインターホン親機１０及び他の施設のインターホン親機との通信を行った場合であって未再生のすべての取得情報に係るサムネイル画像が、一覧表示領域Ｒ３１に表示されてもよい。この場合においても、未再生の取得情報の数が所定数を超え、一画面で表示できない場合がある。この場合には、スクロールバー又はページの切替ボタン等が表示される。
【０１０２】
（３−４）カレンダ形式画面
カレンダ形式画面Ｇ４は、タイムライン画面Ｇ３の第２操作領域Ｒ３４のボタンＢ３７に対して所定の操作（例えば、押操作）が行われることで、表示部１５に表示される。言い換えると、タイムライン画面Ｇ３の第２操作領域Ｒ３４のボタンＢ３７に対して所定の操作が行われると、表示制御部１０１は、カレンダ形式画面Ｇ４を生成し、生成したカレンダ形式画面Ｇ４を表示部１５に表示させる。
【０１０３】
カレンダ形式画面Ｇ４は、図８に示すように、カレンダ表示領域Ｒ４１及び操作領域Ｒ４２を含む。
【０１０４】
カレンダ表示領域Ｒ４１では、操作が行われた月のカレンダに関するカレンダ関連情報が表示される。このとき、再生すべき取得情報が存在する日に対しては、再生すべき取得情報が存在することを表すアイコンである円形状のボタンＢ４１が表示される。本実施形態では、２月１５日〜１８日において再生すべき取得情報が存在している。ボタンＢ４１に対して所定の操作（例えば、押操作）が行われると、対応する日において再生すべき情報（未再生の情報）の再生を開始する。このとき、画面は再生画面Ｇ２に遷移する。
【０１０５】
操作領域Ｒ４２では、カレンダ形式画面Ｇ４に遷移する前の画面（ここでは、タイムライン画面Ｇ３）に遷移する際に操作される四角形状のアイコンであるボタンＢ４２が表示される。
【０１０６】
カレンダ表示を行うことで、広範囲の期間での取得情報の有無を容易に把握することができる。
【０１０７】
なお、ここでは、ボタンＢ４２は、カレンダ形式画面Ｇ４に遷移する前の画面（ここでは、タイムライン画面Ｇ３）に遷移する際に操作される構成とした。つまり、ボタンＢ４２に対して所定の操作（例えば、押操作）が行われると、タイムライン画面Ｇ３に遷移する構成とした。しかしながら、この構成に限定されない。ボタンＢ４２に対して所定の操作が行われると、基本画面Ｇ１に遷移してもよい。
【０１０８】
（３−５）第１呼出操作画面
第１呼出操作画面Ｇ５は、基本画面Ｇ１の第３表示領域Ｒ３の呼出操作ボタンＢ２に対して所定の操作（例えば、押操作）が行われることで、表示部１５に表示される。言い換えると、基本画面Ｇ１の第３表示領域Ｒ３の呼出操作ボタンＢ２に対して所定の操作が行われると、表示制御部１０１は、第１呼出操作画面Ｇ５を生成し、生成した第１呼出操作画面Ｇ５を表示部１５に表示させる。
【０１０９】
第１呼出操作画面Ｇ５は、図９に示すように、第１呼出対象表示領域Ｒ５１及び操作領域Ｒ５２を含む。
【０１１０】
第１呼出対象表示領域Ｒ５１では、呼出対象を指定する際に操作される１つ以上の四角形状のアイコンであるボタン（ここでは、７つのボタンＢ５１〜Ｂ５７）が表示される。呼出対象を指定する際に操作される１つ以上のボタンは、１つ以上の列で表示される。本実施形態では、ボタンＢ５１〜Ｂ５７は、２つの列で表示される。ボタンＢ５１〜Ｂ５７には、呼出先に係る情報（名称）及び呼出先を識別する図形が表示される。
【０１１１】
操作領域Ｒ５２では、第１呼出操作画面Ｇ５に遷移する前の画面（ここでは、基本画面Ｇ１）に遷移する際に操作される四角形状のアイコンであるボタンＢ５２が表示される。
【０１１２】
（３−６）第２呼出操作画面
第２呼出操作画面Ｇ６は、第１呼出操作画面Ｇ５の第１呼出対象表示領域Ｒ５１で表示された１つ以上のボタンＢ５１〜Ｂ５７（アイコン）のいずれかに対して所定の操作（例えば、押操作）が行われることで、表示部１５に表示される。言い換えると、第１呼出操作画面Ｇ５のボタンＢ５１〜Ｂ５７のいずれかのボタンに対して所定の操作が行われると、表示制御部１０１は、第２呼出操作画面Ｇ６を生成し、生成した第２呼出操作画面Ｇ６を表示部１５に表示させる。ここでは、ボタンＢ５４に対して所定の操作が行われた場合について説明する。
【０１１３】
第２呼出操作画面Ｇ６は、図１０に示すように、第２呼出対象表示領域Ｒ６１及び操作領域Ｒ６２を含む。
【０１１４】
第２呼出対象表示領域Ｒ６１では、呼出対象として予め登録されている１つ以上の住戸に一対一に対応する１つ以上の四角形状のボタン（ここでは、８つのボタンＢ６１〜Ｂ６８）が表示される。ボタンＢ６１〜Ｂ６８（アイコン）には、呼出先に係る情報（住戸が存在する棟及び部屋番号）が表示される。第２呼出対象表示領域Ｒ６１で表示される１つ以上のボタンは、１つ以上の列で表示される。本実施形態では、ボタンＢ５１〜Ｂ５７は、２つの列で表示される。
【０１１５】
操作領域Ｒ６２では、第２呼出操作画面Ｇ６に遷移する前の画面（ここでは、第１呼出操作画面Ｇ５）に遷移する際に操作される四角形状のボタンＢ６２が表示される。
【０１１６】
なお、ここでは、ボタンＢ６２は、第２呼出操作画面Ｇ６に遷移する前の画面（ここでは、第１呼出操作画面Ｇ５）に遷移する際に操作される構成とした。つまり、ボタンＢ６２に対して所定の操作（例えば、押操作）が行われると、第１呼出操作画面Ｇ５に遷移する構成とした。しかしながら、この構成に限定されない。ボタンＢ６２に対して所定の操作が行われると、基本画面Ｇ１に遷移してもよい。
【０１１７】
また、第１呼出操作画面Ｇ５の第１呼出対象表示領域Ｒ５１で表示されるボタンに対応する呼出先が１つである場合に、当該ボタンに対して所定の操作が行われると、第２呼出操作画面Ｇ６に遷移することなく、当該ボタンに対応する呼出先を呼び出してもよい。例えば、ボタンＢ５４に対応する呼出先が“Ａ棟１０１号室”だけである場合に、ボタンＢ５４に対して所定の操作が行われると、第２呼出操作画面Ｇ６に遷移することなく、Ａ棟１０１号室のインターホン親機を呼び出してもよい。
【０１１８】
（３−７）モニター選択画面
モニター選択画面Ｇ７は、基本画面Ｇ１の第３表示領域Ｒ３の撮像操作ボタンＢ３に対して所定の操作（例えば、押操作）が行われることで、表示部１５に表示される。言い換えると、基本画面Ｇ１の第３表示領域Ｒ３の撮像操作ボタンＢ３に対して所定の操作が行われると、表示制御部１０１は、モニター選択画面Ｇ７を生成し、生成したモニター選択画面Ｇ７を表示部１５に表示させる。
【０１１９】
モニター選択画面Ｇ７は、図１１に示すように、モニター選択領域Ｒ７１及び操作領域Ｒ７２を含む。
【０１２０】
モニター選択領域Ｒ７１では、モニター監視の対象となる場所を選択するための１つ以上の四角形状のアイコンであるボタン（ここでは、２つのボタンＢ７１、Ｂ７２）が一方向に沿って表示される。ボタンＢ７１，Ｂ７２には、モニター監視対象の場所を表す情報（名称）が表示される。例えば、名称“第１玄関”は住戸Ｅ２の外玄関に対応する。名称“第２玄関”は第１玄関に対応する外玄関とは異なる住戸Ｅ２の外玄関である。つまり、住戸Ｅ２に複数（例えば、２つ）の外玄関が設けられている場合に、それぞれの外玄関に対応するように名称が設けられる。ボタンＢ７１に対して所定の操作（例えば、押操作）が行われると、第１玄関の玄関子機２０で撮像された画像が表示部１５に表示される。ボタンＢ７２に対して所定の操作（例えば、押操作）が行われると、第２玄関の玄関子機２０で撮像された画像が表示部１５に表示される。
【０１２１】
なお、モニター監視の対象となる場所を選択するための１つ以上のボタンが一列で表示できない場合には、複数の列で表示される。また、ロビーインターホン３０や駐輪場、及び駐車場等にカメラが設置されている場合には、これらの場所で撮像された画像を表示するためのアイコン（ボタン）が表示されてもよい。
【０１２２】
操作領域Ｒ７２では、モニター選択画面Ｇ７に遷移する前の画面（ここでは、基本画面Ｇ１）に遷移する際に操作される四角形状のアイコンであるボタンＢ７２が表示される。
【０１２３】
（３−８）コンテンツ選択画面
コンテンツ選択画面Ｇ８は、基本画面Ｇ１の第３表示領域Ｒ３の表示操作ボタンＢ４に対して所定の操作（例えば、押操作）が行われることで、表示部１５に表示される。言い換えると、基本画面Ｇ１の第３表示領域Ｒ３の表示操作ボタンＢ４に対して所定の操作が行われると、表示制御部１０１は、コンテンツ選択画面Ｇ８を生成し、生成したコンテンツ選択画面Ｇ８を表示部１５に表示させる。
【０１２４】
コンテンツ選択画面Ｇ８は、図１２に示すように、コンテンツ選択領域Ｒ８１及び操作領域Ｒ８２を含む。
【０１２５】
コンテンツ選択領域Ｒ８１では、表示したいコンテンツを選択するための１つ以上の四角形状のアイコンであるボタン（ここでは、２つのボタンＢ８１、Ｂ８２）が一方向に沿って表示される。ボタンＢ８１，Ｂ８２には、表示したいコンテンツに係る情報（名称）が表示される。例えば、情報サービスと表示されたボタンＢ８１は、外部装置から取得する情報（例えば、地域のお知らせ情報）を表示するコンテンツとして選択する場合に操作される。電力使用量と表示されたボタンＢ８２は、住戸Ｅ２にＨＥＭＳ（home energy management system）のコントローラが設置されている場合に、当該コントローラが取得した住戸Ｅ２での消費電力量を表示するコンテンツとして選択する場合に操作される。
【０１２６】
なお、表示したいコンテンツを選択するための１つ以上のボタンが一列で表示できない場合には、複数の列で表示される。
【０１２７】
操作領域Ｒ８２では、コンテンツ選択画面Ｇ８に遷移する前の画面（ここでは、基本画面Ｇ１）に遷移する際に操作される四角形状のアイコンであるボタンＢ８２が表示される。
【０１２８】
（３−９）操作選択画面
操作選択画面Ｇ９は、基本画面Ｇ１の第３表示領域Ｒ３の設備操作ボタンＢ５に対して所定の操作（例えば、押操作）が行われることで、表示部１５に表示される。言い換えると、基本画面Ｇ１の第３表示領域Ｒ３の設備操作ボタンＢ５に対して所定の操作が行われると、表示制御部１０１は、操作選択画面Ｇ９を生成し、生成した操作選択画面Ｇ９を表示部１５に表示させる。
【０１２９】
操作選択画面Ｇ９は、図１３に示すように、操作選択領域Ｒ９１及び操作領域Ｒ９２を含む。
【０１３０】
操作選択領域Ｒ９１では、操作対象となるシステム（又は、装置）を選択するための１つ以上の四角形状のアイコンであるボタン（ここでは、２つのボタンＢ９１、Ｂ９２）が一方向に沿って表示される。ボタンＢ９１，Ｂ９２には、操作対象となるシステム（又は、装置）に係る情報（名称）が表示される。
【０１３１】
例えば、電気錠と表示されたボタンＢ９１は、電気錠による施解錠が行われる部材（例えば、住戸Ｅ２の玄関扉）に対する施解錠を行う場合に操作される。操作選択領域Ｒ９１では、ボタンＢ９１に対応するシステム（又は、装置）の状態を表すアイコンＰ９１が、ボタンＢ９１の下方に表示される。図示例では、電気錠は解錠状態であることを示している。この状態で、ボタンＢ９１に対して所定の操作（例えば、押操作）が行われると、電気錠が施錠状態となる。この場合、アイコンＰ９１が示す内容は、電気錠が施錠されていることを表す情報となる。
【０１３２】
ボタンＢ９２は、エレベータを住戸Ｅ２が存在する階に移動させる際に操作される。ボタンＢ９２に対して所定の操作（例えば、押操作）が行われると、インターホン親機１０は、エレベータに対する制御指示を制御装置４０に送信する。制御装置４０は、制御指示を受け付けると、インターホン親機１０の住戸Ｅ２が存在する階にエレベータを移動させる移動指示を、エレベータ制御装置６０に送信する。エレベータ制御装置６０は、移動指示を受け付けると、指定された階にエレベータが移動するように、エレベータを制御する。
【０１３３】
なお、操作対象となるシステム（又は、装置）を選択するための１つ以上のボタンが一列で表示できない場合には、複数の列で表示される。
【０１３４】
操作領域Ｒ９２では、操作選択画面Ｇ９に遷移する前の画面（ここでは、基本画面Ｇ１）に遷移する際に操作される四角形状のアイコンであるボタンＢ９３が表示される。
【０１３５】
（３−１０）防犯設定画面
防犯設定画面Ｇ１０は、基本画面Ｇ１の第５表示領域Ｒ５の第２切替ボタンＢ７に対して所定の操作（例えば、右方向にスライド操作）が行われることで、表示部１５に表示される。言い換えると、基本画面Ｇ１の第５表示領域Ｒ５の第２切替ボタンＢ７に対して所定の操作が行われると、表示制御部１０１は、防犯設定画面Ｇ１０を生成し、生成した防犯設定画面Ｇ１０を表示部１５に表示させる。
【０１３６】
防犯設定画面Ｇ１０は、図１４に示すように、１つ以上の設定表示領域（ここでは、４つの設定表示領域Ｒ１０１〜Ｒ１０４）、第１操作領域Ｒ１０５、第２操作領域Ｒ１０６、第３操作領域Ｒ１０７及び第４操作領域Ｒ１０８を含む。設定表示領域Ｒ１０１〜Ｒ１０４は、一方向に沿って防犯設定画面Ｇ１０に設けられる。
【０１３７】
設定表示領域Ｒ１０１〜Ｒ１０４の各々では、防犯設定の対象物（対象回路）についての設定開始及び設定解除の操作に係る防犯設定関連情報が表示される。ここでは、設定表示領域Ｒ１０１〜Ｒ１０４の各々では、アイコンである防犯情報Ｐ１０１及びボタンＢ０１０１，Ｂ１０２、Ｂ１０３の各々が防犯設定関連情報として表示される。
【０１３８】
防犯情報Ｐ１０１は，防犯設定の対象となる場所を表す名称及び図形を含む。場所の名称は、インターホン親機１０の操作者（住戸Ｅ２の居住者）によって登録可能である。操作者によって場所の名称が登録されていない場合には、初期名称として“防犯”が表示される。防犯情報Ｐ１０１に含まれる図形も、インターホン親機１０の操作者（住戸Ｅ２の居住者）によって登録可能である。例えば、操作者は、設定対象の場所として、扉の図形及び窓の図形を登録することができる。操作者によって場所を表す図形が登録されていない場合には、初期図形として錠を表す図形が表示される。
【０１３９】
ボタンＢ１０１は、防犯の監視開始までの時間を含む。ボタンＢ１０１に対して所定の操作（例えば、押操作）が行われると、ボタンＢ１０１において防犯の監視開始までの時間がカウントダウンされて表示される。図１４では、例えば、玄関に対応するボタンＢ１０１には玄関の監視開始（警戒開始）までの時間として“３００秒”と記載されている。インターホン親機１０の操作者が玄関に対応するボタンＢ１０１に対して所定の操作を行うことで、防犯の監視開始までの時間がカウントダウンされる。ボタンＢ１０１では、監視開始までの残り時間（カウントダウンされた時間）が表示される。
【０１４０】
ボタンＢ１０２は、対応する設定場所に対して即座に防犯の監視を開始する場合に操作される。ボタンＢ１０３は、防犯の監視を行わない場合に操作される。
【０１４１】
第１操作領域Ｒ１０５では、防犯の監視対象となる複数の箇所に対して、一括に操作を行うための情報が表示される。本実施形態では、第１操作領域Ｒ１０５では、アイコンである一括解除ボタンＢ１０４及びすぐ警戒ボタンＢ１０５が表示される。一括解除ボタンＢ１０４は、設定表示領域Ｒ１０１〜Ｒ１０４で表示されているすべての監視対象に対して、防犯の監視を行わない場合に操作される。すぐ警戒ボタンＢ１０５は、設定表示領域Ｒ１０１〜Ｒ１０４で表示されているすべての監視対象に対して、即座に防犯の監視を開始する場合に操作される。
【０１４２】
第２操作領域Ｒ１０６では、インターホン親機１０及びインターホン親機１０を含むシステムの少なくとも一方の動作を切り替えるための切替情報が表示される。本実施形態では、インターホン親機１０が留守モードで動作するか否かを切り替えるスライド形式の切替ボタンＢ１０６（アイコン）が切替情報として第２操作領域Ｒ１０６に表示される。切替ボタンＢ１０６は、基本画面Ｇ１の第１切替ボタンＢ６と同様の機能を有するボタンである。防犯設定画面Ｇ１０に切替ボタンＢ１０６が表示されることで、留守モードを設定する際に基本画面Ｇ１に遷移する必要がなく、設定の操作回数を削減することができる。
【０１４３】
第３操作領域Ｒ１０７では、施設５に設けられた設備の制御に関する制御関連情報が表示される。本実施形態では、第３操作領域Ｒ１０７では、アイコンであるボタンＢ１０７が制御関連情報として表示される。ボタンＢ１０７は、施設５に設けられたエレベータを住戸Ｅ２が存在する階に移動させる際に操作される。ボタンＢ１０７は、操作選択画面Ｇ９で表示されるボタンＢ９２と同等の機能を有している。防犯設定画面Ｇ１０にボタンＢ１０７が表示されることで、エレベータを移動させる際に操作選択画面Ｇ９に遷移する必要がなく、操作回数を削減することができる。
【０１４４】
第４操作領域Ｒ１０８では、防犯設定画面Ｇ１０に遷移する前の画面（ここでは、基本画面Ｇ１）に遷移する際に操作される四角形状のアイコンであるボタンＢ１０８が表示される。
【０１４５】
（３−１１）警報画面
警報画面Ｇ１１は、基本画面Ｇ１の第６表示領域Ｒ６の警報通知ボタンＢ８に対して所定の操作（例えば、押操作）が行われることで、表示部１５に表示される。言い換えると、基本画面Ｇ１の警報通知ボタンＢ８に対して所定の操作が行われると、表示制御部１０１は、警報画面Ｇ１１を生成し、生成した警報画面Ｇ１１を表示部１５に表示させる。
【０１４６】
警報画面Ｇ１１は、図１５に示すように、警報表示領域Ｒ１１１及び操作領域Ｒ１１２を含む。
【０１４７】
警報表示領域Ｒ１１１では、感知器７０から受け取った検知結果に応じて警報として表示すべきアイコンである警報情報Ｐ１１１が表示される。警報情報Ｐ１１１は、警報の種別を表す図形及び名称を含む。例えば、警報として火災を報知（表示）すべき場合には、火災を表す図形と名称とが警報情報Ｐ１１１に含まれる（図１５参照）。
【０１４８】
操作領域Ｒ１１２では、警報画面Ｇ１１に遷移する前の画面（ここでは、基本画面Ｇ１）に遷移する際に操作される四角形状のアイコンであるボタンＢ１１２が表示される。
【０１４９】
複数の感知器７０の検知によっては、複数の警報を表示する必要がある。図１５に示す警報画面Ｇ１１では１つの警報に対する画面であるため、複数の警報を一括して表示することができない。そこで、複数の警報が存在する場合には、図１６に示す複数用警報画面Ｇ１２が表示部１５に表示される。言い換えると、複数の警報を表示する場合には、表示制御部１０１は、複数用警報画面Ｇ１２を生成し、生成した複数用警報画面Ｇ１２を表示部１５に表示させる。
【０１５０】
複数用警報画面Ｇ１２は、図１６に示すように、上述した警報表示領域Ｒ１１１及び操作領域Ｒ１１２に加えて、警報一覧表示領域Ｒ１２１を含む。
【０１５１】
警報一覧表示領域Ｒ１２１では、警報として表示すべき情報（ここでは、情報Ｐ１２１〜Ｐ１２４）の一覧が一方向に沿って表示される。アイコンである情報Ｐ１２１〜Ｐ１２４のうち１つの情報が選択されると、選択された情報が警報表示領域Ｒ１１１で表示される。また、警報一覧表示領域Ｒ１２１が存在する場合、つまり５つ以上の表示すべき情報が存在する場合には、警報一覧表示領域Ｒ１２１では、未表示の情報の表示を指示するボタンＢ１２１（アイコン）及びボタンＢ１２２のうち少なくとも一方が表示される。このとき、警報表示領域Ｒ１１１に表示される画像は、複数の警報のうち最も優先度が高い警報の種別を表す画像である。火災が最も優先度が高い場合には、図１６に示すように、警報の種別が火災を表す警報情報Ｐ１１１が警報表示領域Ｒ１１１に表示される。
【０１５２】
ボタンＢ１２１，Ｂ１２２に対して所定の操作（例えば、押操作）が行われると、警報一覧表示領域Ｒ１２１では、アイコンである情報Ｐ１２１〜Ｐ１２４の表示から表示されていない情報の表示へと切り替わる。
【０１５３】
なお、ここでは、警報画面Ｇ１１は、基本画面Ｇ１の第６表示領域Ｒ６の警報通知ボタンＢ８に対して所定の操作（例えば、押操作）が行われることで、表示部１５に表示されるとして説明した。しかしながら、警報画面Ｇ１１（又は、複数用警報画面Ｇ１２）は、感知器７０が火災等の異常を検知した場合に強制的に表示されてもよい。
【０１５４】
（３−１２）メッセージ表示画面
メッセージ表示画面Ｇ１３は、基本画面Ｇ１の第６表示領域Ｒ６の管理人通知ボタンＢ９に対して所定の操作（例えば、押操作）が行われることで、表示部１５に表示される。言い換えると、基本画面Ｇ１の管理人通知ボタンＢ９に対して所定の操作が行われると、表示制御部１０１は、メッセージ表示画面Ｇ１３を生成し、生成したメッセージ表示画面Ｇ１３を表示部１５に表示させる。
【０１５５】
メッセージ表示画面Ｇ１３は、図１７に示すように、メッセージ表示領域Ｒ１３１及び操作領域Ｒ１３２を含む。
【０１５６】
メッセージ表示領域Ｒ１３１では、通信を行った通信端末（例えば、管理室装置５０）から取得した取得情報、及び当該通信端末を識別するための図形を含む識別情報Ｐ１３１（アイコン）が表示される。本実施形態では、識別情報Ｐ１３１は、一例として、管理室装置５０との通信によって管理室装置５０から取得した取得情報（例えば、管理人からのメッセージ）、及び管理室装置５０を識別する図形（ここでは、管理人を表す人型の図形）を含む。
【０１５７】
操作領域Ｒ１３２では、メッセージを送信した送信元の通信端末を呼び出す場合に操作されるアイコンである呼出ボタンＢ１３１が表示される。例えば、図１７で示すメッセージがメッセージ表示画面Ｇ１３で表示されている場合に呼出ボタンＢ１３１に対して所定の操作（例えば、押操作）が行われると、インターホン親機１０の制御部１９は、管理室装置５０に対して呼出動作を行う。
【０１５８】
なお、メッセージ表示画面Ｇ１３において、メッセージ表示画面Ｇ１３に遷移する前の画面（ここでは、基本画面Ｇ１）に遷移する際に操作されるボタンが表示されてもよい。
【０１５９】
（３−１３）設定表示画面
設定表示画面Ｇ１４は、基本画面Ｇ１の第７表示領域Ｒ７のボタンＢ１１に対して所定の操作（例えば、押操作）が行われることで、表示部１５に表示される。言い換えると、基本画面Ｇ１の第７表示領域Ｒ７のボタンＢ１１に対して所定の操作が行われると、表示制御部１０１は、設定表示画面Ｇ１４を生成し、生成した設定表示画面Ｇ１４を表示部１５に表示させる。
【０１６０】
設定表示画面Ｇ１４は、図１８に示すように、設定種別表示領域Ｒ１４１及び操作領域Ｒ１４２を含む。設定種別表示領域Ｒ１４１は、設定表示画面Ｇ１４の上方に配置される。操作領域Ｒ１４２は、設定表示画面Ｇ１４の左下に配置される。
【０１６１】
設定種別表示領域Ｒ１４１では、インターホン親機１０で設定可能な１つ以上の設定内容の種別を選択するための１つ以上の四角形状のアイコンであるボタン（ここでは、６つのボタンＢ１４１〜Ｂ１４６）が一方向に沿って表示される。ボタンＢ１４１〜Ｂ１４６には、設定内容の種別を表す情報（設定に関する名称）及び当該種別を表す図形が表示される。
【０１６２】
図１８では、ボタンＢ１４１では、設定に関する名称として“音”が表示されている。例えば、呼出音の設定を行う場合にボタンＢ１４１に対して所定の操作（例えば、押操作）が行われる。
【０１６３】
ボタンＢ１４２では、設定に関する名称として“呼出通話”が表示されている。例えば留守モードに呼出があった場合における留守メッセージの設定、住戸間通話の設定等を行う場合に、ボタンＢ１４２に対して所定の操作（例えば、押操作）が行われる。
【０１６４】
ボタンＢ１４３では、設定に関する名称として“録画”が表示されている。例えば録画に関する設定（録画時間等の設定）を行う場合に、ボタンＢ１４３に対して所定の操作（例えば、押操作）が行われる。
【０１６５】
ボタンＢ１４４では、設定に関する名称として“画面”が表示されている。例えば画面に関する設定（画面の解像度等の設定）を行う場合に、ボタンＢ１４４に対して所定の操作（例えば、押操作）が行われる。
【０１６６】
ボタンＢ１４５では、設定に関する名称として“防犯”が表示されている。
例えば防犯に関する設定を行う場合に、ボタンＢ１４５に対して所定の操作（例えば、押操作）が行われる。
【０１６７】
ボタンＢ１４６では、設定に関する名称として“初期化”が表示されている。インターホン親機１０の出荷時に設定された状態に戻す場合に、ボタンＢ１４６に対して所定の操作（例えば、押操作）が行われる。
【０１６８】
なお、設定内容の種別を選択するための１つ以上のボタンが一列で表示できない場合には、複数の列で表示される。
【０１６９】
操作領域Ｒ１４２では、設定表示画面Ｇ１４に遷移する前の画面（ここでは、基本画面Ｇ１）に遷移する際に操作される四角形状のアイコンであるボタンＢ１４７が表示される。
【０１７０】
設定表示画面Ｇ１４は、図１９に示すように、設定種別表示領域Ｒ１４１と操作領域Ｒ１４２との間に配置された詳細情報表示領域Ｒ１４３を、さらに含む。設定表示画面Ｇ１４は、図１９に示すように、詳細情報表示領域Ｒ１４３の下方に操作領域Ｒ１４４を、さらに含む。
【０１７１】
詳細情報表示領域Ｒ１４３では、ボタンＢ１４１〜Ｂ１４６のいずれかのボタンに対して所定の操作が行われた場合に、所定の操作が行われたボタンに対応する設定に関連するアイコン（例えば、ボタン形式のアイコン）が表示される。
【０１７２】
例えば、ボタンＢ１４２に対して所定の操作が行われると、詳細情報表示領域Ｒ１４３に、呼出通話に関して設定するための複数の四角形状のアイコンであるボタン（ここでは、５つのボタン１４２１〜１４２５）が表示される（図１９参照）。ボタン１４２１〜１４２５では、設定の種別が上段に、現在設定されている内容が下段に、それぞれ表示される。例えば、ボタン１４２１は着信時間の設定を行う際に操作されるボタンであり、現在設定されている着信時間が３０秒であることが、表示内容から認識できる。また、ボタン１４２２は解錠時通話時間の設定を行う際に操作されるボタンであり、現在設定されている時間が１０秒であることが、表示内容から認識できる。ボタン１４２３は留守メッセージの設定を行う際に操作されるボタンであり、現在設定されている設定内容が呼出直後に固定メッセージを出力することが、表示内容から認識できる。ボタン１４２４は居留守表示の設定を行う際に操作されるボタンであり、現在設定されている居留守表示が有効となっていることが、表示内容から認識できる。さらに、ボタン１４２５は住戸間通話の設定を行う際に操作されるボタンであり、現在設定されている内容が登録住戸であることが、表示内容から認識できる。ここで、登録住戸とは、登録された住戸とのみ通話が可能であることを示す。
【０１７３】
操作領域Ｒ１４４では、詳細情報表示領域Ｒ１４３での表示の切り替えを行う場合に操作されるボタン形式のアイコンＰ１４１が表示される。ここでは、ページ切替のアイコンＰ１４１が表示される。
【０１７４】
（３−１４）第１住戸間通話設定画面
第１住戸間通話設定画面Ｇ１５は、設定表示画面Ｇ１４で表示されるボタン１４２５に対して所定の操作（例えば、押操作）が行われることで、表示部１５に表示される。言い換えると、設定表示画面Ｇ１４の第２操作領域Ｒ３４のボタン１４２５に対して所定の操作が行われると、表示制御部１０１は、第１住戸間通話設定画面Ｇ１５を生成し、生成した第１住戸間通話設定画面Ｇ１５を表示部１５に表示させる。
【０１７５】
第１住戸間通話設定画面Ｇ１５は、図２０に示すように、設定選択領域Ｒ１５１を含む。設定選択領域Ｒ１５１は、第１選択領域Ｒ１５２、第２選択領域Ｒ１５３及び第３選択領域Ｒ１５４を含む。
【０１７６】
第１選択領域Ｒ１５２では、第１ラジオボタンＢ１５１と、設定に係る名称と、設定内容とが表示される。第１選択領域Ｒ１５２で表示される名称として“通話拒否”が、設定内容として“呼出も着信もできません。”というメッセージが、それぞれ表示される。つまり、住戸間通話を許可しない場合には、第１ラジオボタンＢ１５１が選択される。
【０１７７】
第２選択領域Ｒ１５３では、第２ラジオボタンＢ１５２と、設定に係る名称と、設定内容とが表示される。第２選択領域Ｒ１５３で表示される名称として“登録住戸のみ”が、設定内容として“登録住戸のみ呼び出し着信できます。”というメッセージが、それぞれ表示される。つまり、登録した住戸間のみ通話を許可する場合には、第２ラジオボタンＢ１５２が選択される。
【０１７８】
第３選択領域Ｒ１５４は、第３ラジオボタンＢ１５３と、設定に係る名称と、設定内容とが表示される。第３選択領域Ｒ１５４で表示される名称として“全て通話許可”が、設定内容として“どの住戸でも呼び出し着信できます。”というメッセージが、それぞれ表示される。つまり、全ての住戸に対して通話を許可する場合には、第３ラジオボタンＢ１５３が選択される。
【０１７９】
第１住戸間通話設定画面Ｇ１５は、図２０に示すように、第１操作領域Ｒ１５５を含む。第１操作領域Ｒ１５５では、四角形状のアイコンである決定ボタンＢ１５４が表示される。決定ボタンＢ１５４は、設定選択領域Ｒ１５１で表示される複数のラジオボタン（ここでは、第１ラジオボタンＢ１５１、第２ラジオボタンＢ１５２及び第３ラジオボタンＢ１５３）のいずれかのラジオボタンの選択を決定する場合に操作される。
【０１８０】
さらに、第１住戸間通話設定画面Ｇ１５は、図２０に示すように、第２操作領域Ｒ１５６を含む。第２操作領域Ｒ１５６では、第１住戸間通話設定画面Ｇ１５に遷移する前の画面（ここでは、設定表示画面Ｇ１４）に遷移する際に操作される四角形状のアイコンであるボタンＢ１５５が表示される。
【０１８１】
（３−１５）第２住戸間通話設定画面
第２住戸間通話設定画面Ｇ１６は、第１住戸間通話設定画面Ｇ１５で第２ラジオボタンＢ１５２が選択され、決定ボタンＢ１５４に対して所定の操作（例えば、押操作）が行われることで、表示部１５に表示される。言い換えると、第１住戸間通話設定画面Ｇ１５の第２ラジオボタンＢ１５２が選択され、決定ボタンＢ１５４に対して所定の操作が行われると、表示制御部１０１は、第２住戸間通話設定画面Ｇ１６を生成し、生成した第２住戸間通話設定画面Ｇ１６を表示部１５に表示させる。
【０１８２】
第２住戸間通話設定画面Ｇ１６は、図２１に示すように、メッセージ表示領域Ｒ１６１と、第１操作領域Ｒ１６２と、第２操作領域Ｒ１６３とを含む。
【０１８３】
メッセージ表示領域Ｒ１６１では、住戸間通話を許可する住戸の登録を行う旨のメッセージを表示する。ここでは、メッセージ表示領域Ｒ１６１では、住戸の登録を行う旨のアイコンＰ１６１を表示する。
【０１８４】
第１操作領域Ｒ１６２では、登録画面に遷移するためのアイコンであるボタンＢ１６１が表示される。住戸間通話を許可する住戸の登録を続行する場合には、ボタンＢ１６１が操作される。
【０１８５】
第２操作領域Ｒ１６３は、第２住戸間通話設定画面Ｇ１６に遷移する前の画面（ここでは、第１住戸間通話設定画面Ｇ１５）に遷移する際に操作される四角形状のアイコンであるボタンＢ１６２を含む。
【０１８６】
（３−１６）第１住戸選択画面
第１住戸選択画面Ｇ１７は、第２住戸間通話設定画面Ｇ１６でボタンＢ１６１に対して所定の操作（例えば、押操作）が行われることで、表示部１５に表示される。言い換えると、第２住戸間通話設定画面Ｇ１６のボタンＢ１６１に対して所定の操作が行われると、表示制御部１０１は、第１住戸選択画面Ｇ１７を生成し、生成した第１住戸選択画面Ｇ１７を表示部１５に表示させる。
【０１８７】
第１住戸選択画面Ｇ１７は、図２２に示すように、選択表示領域Ｒ１７１と、操作領域Ｒ１７２とを含む。
【０１８８】
選択表示領域Ｒ１７１では、住戸間通信が可能な施設（棟）を選択するための四角形状の複数のアイコンであるボタン（ここでは、選択ボタンＢ１７１〜Ｂ１７８）が表示される。選択ボタンＢ１７１〜Ｂ１７８には、当該選択ボタンで設定可能な施設の名称が表示される。住戸間通話の設定を行う者（住戸Ｅ２の居住者）は、住戸間通話を許可したい住戸を含む施設に対応する選択ボタンを、選択ボタンＢ１７１〜Ｂ１７８から選択する。
【０１８９】
操作領域Ｒ１７２では、第１住戸選択画面Ｇ１７に遷移する前の画面（ここでは、第２住戸間通話設定画面Ｇ１６）に遷移する際に操作される四角形状のアイコンであるボタンＢ１７９が表示される。
【０１９０】
（３−１７）第２住戸選択画面
第２住戸選択画面Ｇ１８は、第１住戸選択画面Ｇ１７で選択ボタンＢ１７１〜Ｂ１７８のいずれかの選択ボタンに対して所定の操作（例えば、押操作）が行われることで、表示部１５に表示される。言い換えると、第１住戸選択画面Ｇ１７の選択ボタンＢ１７１〜Ｂ１７８のいずれかのボタンに対して所定の操作が行われると、表示制御部１０１は、第２住戸選択画面Ｇ１８を生成し、生成した第２住戸選択画面Ｇ１８を表示部１５に表示させる。ここでは、選択ボタンＢ１７１に対して所定の操作が行われた場合について説明する。
【０１９１】
第１住戸選択画面Ｇ１７は、図２３に示すように、入力領域Ｒ１８１と、確認領域Ｒ１８２と、第１操作領域Ｒ１８３と、第２操作領域１８４とを含む。
【０１９２】
入力領域Ｒ１８１では、アイコンであるテンキーＢ１８１が表示される。住戸間通話の設定を行う者（住戸Ｅ２の居住者）は、テンキーＢ１８１を用いて、住戸間通話を許可したい住戸の番号を入力する。
【０１９３】
確認領域Ｒ１８２では、テンキーＢ１８１を用いて入力された部屋番号を確認するための四角形状のアイコンＰ１８１が表示される。アイコンＰ１８１は、第１住戸選択画面Ｇ１７で選択された施設（棟）の名称と、テンキーＢ１８１を用いて入力された部屋番号とが表示される。
【０１９４】
第１操作領域Ｒ１８３では、四角形状のアイコンである決定ボタンＢ１８２が表示される。決定ボタンＢ１８２は、確認領域Ｒ１８２で表示される部屋番号を登録する場合に操作される。
【０１９５】
第２操作領域Ｒ１８４では、第２住戸選択画面Ｇ１８に遷移する前の画面（ここでは、第１住戸選択画面Ｇ１７）に遷移する際に操作される四角形状のアイコンであるボタンＢ１８３が表示される。
【０１９６】
（３−１８）通話先設定画面
通話先設定画面Ｇ１９は、第２住戸選択画面Ｇ１８で決定ボタンＢ１８２に対して所定の操作（例えば、押操作）が行われることで、表示部１５に表示される。言い換えると、第２住戸選択画面Ｇ１８の決定ボタンＢ１８２に対して所定の操作が行われると、表示制御部１０１は、通話先設定画面Ｇ１９を生成し、生成した通話先設定画面Ｇ１９を表示部１５に表示させる。
【０１９７】
通話先設定画面Ｇ１９は、図２４に示すように、設定表示領域Ｒ１９１と、第１操作領域Ｒ１９２と、第２操作領域１９３とを含む。
【０１９８】
設定表示領域Ｒ１９１では、住戸間通信が許可された住戸を表す四角形状の複数のアイコン（ここでは、８つのアイコンＰ１９１〜Ｐ１９８）が表示される。アイコンＰ１９１〜Ｐ１９８は、表示部１５の左右方向及び上下方向に沿って規則的に配置される。アイコンＰ１９１〜Ｐ１９８には、住戸間通信が許可された施設（棟）の名称と、当該施設（棟）の部屋番号とが表示される。
【０１９９】
第１操作領域Ｒ１９２では、住戸間通信が許可された住戸の登録を削除したい場合に操作される四角形状のアイコンであるボタンＢ１９１が表示される。インターホン親機１０の操作者は、住戸間通信が許可された住戸の登録を削除したい場合には、設定表示領域Ｒ１９１で表示された複数のアイコンのうち１つのアイコンを選択する選択操作（例えば、押操作）を行う。その後、操作者がボタンＢ１９１に対して所定の操作（例えば、押操作）を行うことで、インターホン親機１０の制御部１９は、選択された１つのアイコンに対応する住戸の登録の削除に係る処理を行う。このとき、通話先設定画面Ｇ１９では、選択されたアイコンは表示されない。
【０２００】
第２操作領域Ｒ１９３では、通話先設定画面Ｇ１９に遷移する前の画面（第２住戸選択画面Ｇ１８）に遷移する際に操作される四角形状のアイコンであるボタンＢ１９２が表示される。なお、ボタンＢ１９２が操作されることで、例えば基本画面Ｇ１又は設定表示画面Ｇ１４に遷移してもよい。
【０２０１】
（３−１９）第１確認画面
第１確認画面Ｇ２０は、制御部１９が感知器７０から検知結果（例えば、火災を検知したことを表す情報）を受信した場合、表示部１５に表示される。言い換えると、感知器７０が火災を検知すると、表示制御部１０１は、第１確認画面Ｇ２０を生成し、生成した第１確認画面Ｇ２０を表示部１５に表示させる。
【０２０２】
第１確認画面Ｇ２０は、図２５に示すように、確認表示領域Ｒ２０１と、操作領域Ｒ２０２とを含む。
【０２０３】
確認表示領域Ｒ２０１では、インターホン親機１０の上部（警報音関連ボタン１５２、火災確定ボタン１５３、非常ボタン１５４を含む部位）に相当するアイコンＰ２０１が表示される。アイコンＰ２０１は、警報音関連ボタン１５２に相当するアイコンＰ２０２と、火災確定ボタン１５３に相当するアイコンＰ２０３とを含む。
【０２０４】
確認表示領域Ｒ２０１では、吹き出し形状のアイコンＰ２０４，Ｐ２０５が表示される。アイコンＰ２０４はアイコンＰ２０２に対応付けられ、アイコンＰ２０５はアイコンＰ２０３に対応付けられている。
【０２０５】
アイコンＰ２０４には、警報音関連ボタン１５２の操作に関するメッセージが表示される。例えば、感知器７０から検知結果が誤報である場合に警報音関連ボタン１５２の操作を操作することで、感知器７０が発報する警報を止めることができる旨のメッセージがアイコンＰ２０４に表示される。これにより、実際のボタンに相当するアイコンを表示しつつ操作の内容を表示することで、誤操作し難くすることができる。
【０２０６】
アイコンＰ２０５には、火災確定ボタン１５３の操作に関するメッセージが表示される。例えば、感知器７０から検知結果が誤報ではなく、操作者（住戸Ｅ２の居住者）が異常（例えば火災）を確認した場合に操作する旨のメッセージがアイコンＰ２０５に表示される。
【０２０７】
操作領域Ｒ２０では、第１確認画面Ｇ２０に遷移する前の画面（例えば、基本画面Ｇ１）に遷移する際に操作される四角形状のアイコンであるボタンＢ２０１が表示される。
【０２０８】
表示部１５に第１確認画面Ｇ２０が表示されている場合に、警報音関連ボタン１５２に対して所定の操作が行われると、表示部１５で表示される画面が第１確認画面Ｇ２０から基本画面Ｇ１に遷移する。
【０２０９】
表示部１５に第１確認画面Ｇ２０が表示されている場合に、火災確定ボタン１５３に対して所定の操作が行われると、表示部１５で表示される画面が第１確認画面Ｇ２０から警報画面Ｇ１１に遷移する。
【０２１０】
なお、第１確認画面Ｇ２０は、警報画面Ｇ１１又は複数用警報画面Ｇ１２に対して所定の操作が行われた場合に表示されてもよい。例えば、制御部１９が感知器７０から検知結果（例えば、火災を検知したことを表す情報）を受信した場合に、表示制御部１０１は、警報画面Ｇ１１又は複数用警報画面Ｇ１２を先ず表示してもよい。警報画面Ｇ１１又は複数用警報画面Ｇ１２が表示された後に、所定の操作により第１確認画面Ｇ２０が表示される。
【０２１１】
または、警報画面Ｇ１１又は複数用警報画面Ｇ１２と、第１確認画面Ｇ２０とが交互に表示されてもよい。
【０２１２】
（３−２０）第２確認画面
第２確認画面Ｇ２１は、非常ボタン１５４に対して所定の操作が行われた場合に、表示部１５に表示される。言い換えると、非常ボタン１５４に対して所定の操作が行われると、表示制御部１０１は、第２確認画面Ｇ２１を生成し、生成した第２確認画面Ｇ２１を表示部１５に表示させる。
【０２１３】
第２確認画面Ｇ２１は、図２６に示すように、確認表示領域Ｒ２１１と、操作領域Ｒ２１２とを含む。
【０２１４】
確認表示領域Ｒ２１１では、インターホン親機１０の上部（警報音関連ボタンＢ５１２、火災確定ボタン１５３、非常ボタン１５４を含む部位）に相当するアイコンＰ２１１が表示される。アイコンＰ２１１は、非常ボタンＢ５１４に相当するアイコンＰ２１１を含む。
【０２１５】
確認表示領域Ｒ２１１では、吹き出し形状のアイコンＰ２１３が表示される。アイコンＰ２１３はアイコンＰ２１２に対応付けられている。
【０２１６】
アイコンＰ２１３には、非常ボタン１５４の操作に関するメッセージが表示される。例えば、住戸Ｅ２の状態を確認した後に、当該非常ボタン１５４を操作することで非常音の発報を止めることができる旨のメッセージがアイコンＰ２１３に表示される。これにより、実際のボタンに相当するアイコンを表示しつつ操作の内容を表示することで、誤操作し難くすることができる。
【０２１７】
操作領域Ｒ２０では、第２確認画面Ｇ２１に遷移する前の画面（例えば、基本画面Ｇ１）に遷移する際に操作される四角形状のアイコンであるボタンＢ２１１が表示される。
【０２１８】
表示部１５に第２確認画面Ｇ２１が表示されている場合に、非常ボタン１５４に対して所定の操作が行われると、表示部１５で表示される画面が第２確認画面Ｇ２１から基本画面Ｇ１に遷移する。
【０２１９】
（３−２１）呼出表示画面
呼出表示画面Ｇ２２は、ロビーインターホン３０及び玄関子機２０のいずれかで呼出操作が行われた場合に、表示部１５で表示される。呼出時に表示部１５に何等かの画面が表示されている場合には、当該画面から強制的に呼出表示画面Ｇ２２へと画面遷移する。言い換えると、ロビーインターホン３０及び玄関子機２０のいずれかで呼出操作が行われると、表示制御部１０１は、呼出表示画面Ｇ２２を生成し、生成した呼出表示画面Ｇ２２を表示部１５に表示させる。
【０２２０】
呼出表示画面Ｇ２２は、図２７に示すように、複数の画像（図示例では、第１画像Ｐ２２１、第２画像Ｐ２２２、第３画像Ｐ２２３）及びボタンＢ２２１〜Ｂ２２７を含む。
【０２２１】
第２画像Ｐ２２２及び第３画像Ｐ２２３は、呼出表示画面Ｇ２２を平面視した場合に、呼出表示画面Ｇ２２において中心より右側に上下方向に並んで同等の大きさで配置される。第１画像Ｐ２２１は、呼出表示画面Ｇ２２において第２画像Ｐ２２２及び第３画像Ｐ２２３が表示される領域を除いた領域に表示される。呼出表示画面Ｇ２２では、３つの画像を表示する場合には、第１画像Ｐ２２１が最も大きく表示される。
【０２２２】
第１画像Ｐ２２１は、呼出時又は通話時に呼出元の撮像装置が撮像した画像（動画像）である。第２画像Ｐ２２２は、呼出元とは異なる端末（例えば、共用部Ｅ１に設置された防犯用の撮像装置）で撮像された画像（動画像）である。第３画像Ｐ２２３は、呼出前（例えば、呼出操作が行われる前、又は呼出操作が行われる最中）に呼出元の撮像装置が撮像した画像（静止画像）である。なお、第１画像Ｐ２２１及び第２画像Ｐ２２２は、静止画像であってもよい。また、第３画像Ｐ２２３は、動画像であってもよい。
【０２２３】
ボタンＢ２２１は、呼出元の撮像装置で撮像された画像を録画する場合に操作される。ボタンＢ２２１に対して所定の操作（例えば、押操作）が行われると、インターホン親機１０の制御部１９は、画像の録画を開始する。
【０２２４】
ボタンＢ２２２は、呼出元の撮像装置に対してズームを指示する場合に操作される。ボタンＢ２２２に対して所定の操作（例えば、押操作）が行われると、インターホン親機１０は、呼出元の撮像装置がズームを行うように、呼出元に対してズーム処理に係る指示を送信する。これにより、呼出元は、撮像装置のズームを行う。
【０２２５】
ボタンＢ２２３は、呼出表示画面Ｇ２２の表示態様を変更する場合に操作される。具体的には、ボタンＢ２２３は、第１画像Ｐ２２１、第２画像Ｐ２２２及び第３画像Ｐ２２３を表示するマルチ画面の表示態様と、画面全体に第１画像Ｐ２２１を表示するシングル画面（全画面）の表示態様との切り替えを行う場合に操作される。ボタンＢ２２３では、当該ボタンＢ２２３に対して所定の操作（例えば、押操作）が行われることで変更後の表示態様を表す情報が表示される。図２７では、呼出表示画面Ｇ２２での表示態様はマルチ画面となっており、ボタンＢ２２３には“全画面”が表示されている。この状態で、ボタンＢ２２３に対して所定の操作（例えば、押操作）が行われると、マルチ画面の表示態様からシングル画面の表示態様へと切り替わる。表示態様がマルチ画面からシングル画面（全画面）にと切り替わると、ボタンＢ２２３には“マルチ画面”が表示される。
【０２２６】
ボタンＢ２２４は、住戸Ｅ２に居住者が在宅中である場合であっても呼出に応答したくない場合に操作される。ボタンＢ２２４に対して所定の操作（例えば、押操作）が行われると、後述する居留守設定画面Ｇ２３に画面は遷移する。
【０２２７】
ボタンＢ２２５は、表示されている画像の画質、及び通話部１７のスピーカから出力されている音声の音量等を変更する場合に操作される。
【０２２８】
ボタンＢ２２６は、ボタンＢ２２１〜Ｂ２２７の表示の切り替えを行う場合に操作される。図２７では、ボタンＢ２２１〜Ｂ２２７の表示が許可された状態（表示ＯＮ状態）となっている。この状態で、ボタンＢ２２６に対して所定の操作（例えば、押操作）が行われると、ボタンＢ２２１〜Ｂ２２７は非表示の状態（表示ＯＦＦ状態）となる。
【０２２９】
ボタンＢ２２７は、呼出音を停止する場合に操作される。
【０２３０】
（３−２２）居留守設定画面
居留守設定画面Ｇ２３は、呼出表示画面Ｇ２２のボタンＢ２２４に対して所定の操作が行われることで、表示部１５に表示される。言い換えると、呼出表示画面Ｇ２２のボタンＢ２２４に対して所定の操作が行われると、表示制御部１０１は、居留守設定画面Ｇ２３を生成し、生成した居留守設定画面Ｇ２３を表示部１５に表示させる。
【０２３１】
居留守設定画面Ｇ２３は、図２８に示すように、画像Ｐ２３１と、ボタンＢ２２１〜Ｂ２２７とを含む。ボタンＢ２２１〜Ｂ２２７については、呼出表示画面Ｇ２２で既に説明しているので、ここでの説明は省略する。
【０２３２】
画像Ｐ２３１は、呼出時又は通話時に呼出元の撮像装置が撮像した画像（動画像）である。
【０２３３】
居留守設定画面Ｇ２３は、設定領域Ｒ２３１を、更に含む。設定領域Ｒ２３１では、複数（図示例では３つ）のラジオボタンＢ２３１〜Ｂ２３３が表示される。さらに、設定領域Ｒ２３１では、複数のラジオボタンＢ２３１〜Ｂ２３３にそれぞれ対応し、居留守の設定時に呼出元に出力する音声に係る複数のメッセージＭ２３１〜Ｍ２３３が表示される。例えば、メッセージＭ２３１は、当該メッセージＭ２３１に対応するラジオボタンＢ２３１が選択された場合に、居留守の設定時に呼出元に出力する内容を表す。同様に、メッセージＭ２３２は、当該メッセージＭ２３２に対応するラジオボタンＢ２３２が選択された場合に、居留守の設定時に呼出元に出力する内容を表す。メッセージＭ２３３は、当該メッセージＭ２３３に対応するラジオボタンＢ２３３が選択された場合には、利用者により予め登録（録音）されたメッセージを出力する旨を表す。
【０２３４】
さらに、設定領域Ｒ２３１では、ボタンＢ２３４が表示される。ボタンＢ２３４は、ラジオボタンＢ２３１〜Ｂ２３３のうち１つのラジオボタンが選択された後、選択されたラジオボタンに応じたメッセージの音声の出力を開始する場合に操作される。例えば、ラジオボタンＢ２３１が選択された後、ボタンＢ２３４に対して所定の操作（例えば、押操作）が行われると、インターホン親機１０の制御部１９は、“ただいま出られません。ご用の方は、ピーと鳴り・・・”というメッセージの音声のデータを呼出元へ送信する。これにより、呼出元のスピーカから上記メッセージの音声が出力される。
【０２３５】
居留守設定画面Ｇ２３は、ボタンＢ２３５を、更に含む。ボタンＢ２３５は、設定領域Ｒ２３１の表示及び非表示の切り替えを行う場合に操作される。図２８で示す居留守設定画面Ｇ２３では、設定領域Ｒ２３１は表示された状態となっている。この状態で、ボタンＢ２３５に対して所定の操作（例えば、押操作）が行われると、設定領域Ｒ２３１は非表示の状態となる。居留守設定画面Ｇ２３は、設定領域Ｒ２３１が非表示となると、呼出表示画面Ｇ２２と同等の画面となる。
【０２３６】
（３−２３）第１映像範囲設定画面
第１映像範囲設定画面Ｇ２４は、インターホン親機１０の施工時に施工業者の作業員によって所定の操作が行われることで、表示部１５に表示される。言い換えると、作業員によって所定の操作が行われると、表示制御部１０１は、第１映像範囲設定画面Ｇ２４を生成し、生成した第１映像範囲設定画面Ｇ２４を表示部１５に表示させる。第１映像範囲設定画面Ｇ２４は、インターホン親機１０と通信可能な玄関子機２０の撮像装置での撮像範囲を設定する際に利用される画面である。
【０２３７】
第１映像範囲設定画面Ｇ２４は、図２９に示すように、設定表示領域Ｒ２４１と、操作領域Ｒ２４２とを含む。
【０２３８】
設定表示領域Ｒ２４１は、複数の表示領域を含む。表示領域は、インターホン親機１０が玄関子機２０と接続可能な最大数に応じた数だけ、設定表示領域Ｒ２４１に含まれる。本実施形態では、インターホン親機１０が玄関子機２０と接続可能な最大数は“２”であると仮定する。この場合、設定表示領域Ｒ２４１は、２つの表示領域Ｒ２４３，Ｒ２４４を含む。
【０２３９】
表示領域Ｒ２４３では、映像範囲が設定可能な玄関子機を表す名称（ここでは、“第１ドアホン”）Ｐ２４１と、四角形状のアイコンであるボタンＢ２４１、Ｂ２４２が表示される。
【０２４０】
ボタンＢ２４１は、名称Ｐ２４１で表される玄関子機２０の撮像装置での映像範囲を変更する場合に操作される。ボタンＢ２４１では、設定対象を表す内容（設定内容）と、現在設定の状態を表す内容（状態内容）とが表示される。本実施形態では、ボタンＢ２４１の上部に設定内容が、下部に状態内容が、それぞれ表示される。
【０２４１】
ボタンＢ２４２は、名称Ｐ２４１で表される玄関子機２０の撮像装置でのズーム位置の設定を変更する場合に操作される。
【０２４２】
表示領域Ｒ２４４では、表示領域Ｒ２４３と比べて映像範囲が設定可能な玄関子機を表す名称が異なる。
【０２４３】
操作領域Ｒ２４２では、第１映像範囲設定画面Ｇ２４に遷移する前の画面（例えば、基本画面Ｇ１）に遷移する際に操作される四角形状のアイコンであるボタンＢ２４３が表示される。
【０２４４】
（３−２４）第２映像範囲設定画面
第２映像範囲設定画面Ｇ２５は、第１映像範囲設定画面Ｇ２４のボタンＢ２４１に対して所定の操作（例えば、押操作）が行われることで、表示される。言い換えると、第１映像範囲設定画面Ｇ２４のボタンＢ２４１に対して所定の操作が行われると、表示制御部１０１は、第２映像範囲設定画面Ｇ２５を生成し、生成した第２映像範囲設定画面Ｇ２５を表示部１５に表示させる。
【０２４５】
第２映像範囲設定画面Ｇ２５は、図３０に示すように、選択操作領域Ｒ２５１と、第１操作領域Ｒ２５２と、第２操作領域Ｒ２５３とを含む。
【０２４６】
選択操作領域Ｒ２５１では、映像範囲の設定に係る情報がラジオボタンとともに表示される。本実施形態では、映像範囲の設定として３タイプのいずれかで設定が可能である。具体的には、本実施形態では、撮像された画像全体を表示するスーパーワイド、撮像された画像のうち一部の領域を拡大して表示するワイド、ズームで撮像された画像を表示するズームの３タイプのうちいずれかのタイプが選択可能である。
【０２４７】
選択操作領域Ｒ２５１では、第１ラジオボタンＢ２５１と名称“スーパーワイド”とを含むアイコンＰ２５１、第２ラジオボタンＢ２５２と名称“ワイド”とを含むアイコンＰ２５２及び第３ラジオボタンＢ２５３と名称“ズーム”とを含むアイコンＰ２５３が表示される。
【０２４８】
第１操作領域Ｒ２５２では、四角形状のアイコンである決定ボタンＢ２５４が表示される。決定ボタンＢ２５４は、選択操作領域Ｒ２５１で表示される複数のラジオボタン（第１ラジオボタンＢ２５１〜第３ラジオボタンＢ２５３）のいずれかのラジオボタンの選択を決定する場合に操作される。
【０２４９】
第２操作領域Ｒ２５３では、第２映像範囲設定画面Ｇ２５に遷移する前の画面（ここでは、第１映像範囲設定画面Ｇ２４）に遷移する際に操作される四角形状のアイコンであるボタンＢ２５５が表示される。
【０２５０】
（３−２５）第３映像範囲設定画面
第３映像範囲設定画面Ｇ２６は、第２映像範囲設定画面Ｇ２５で第２ラジオボタンＢ２５２が選択され、決定ボタンＢ２５４に対して所定の操作（例えば、押操作）が行われることで、表示部１５に表示される。言い換えると、第２映像範囲設定画面Ｇ２５の第２ラジオボタンＢ２５２が選択され、決定ボタンＢ２５４に対して所定の操作が行われると、表示制御部１０１は、第３映像範囲設定画面Ｇ２６を生成し、生成した第３映像範囲設定画面Ｇ２６を表示部１５に表示させる。本実施形態では、第３映像範囲設定画面Ｇ２６は、映像範囲の設定として“ワイド”が選択された場合に、表示部１５に表示される。
【０２５１】
第３映像範囲設定画面Ｇ２６は、図３１に示すように、画像表示領域Ｒ２６１と、第１操作領域Ｒ２６２と、第２操作領域Ｒ２６３と、第３操作領域Ｒ２６４とを含む。
【０２５２】
画像表示領域Ｒ２６１では、第１映像範囲設定画面Ｇ２４で設定対象として選択された玄関子機２０で撮像された画像Ｐ２６１が表示される。
【０２５３】
画像表示領域Ｒ２６１では、ボタンＢ２６１〜Ｂ２６４が、画像Ｐ２６１に重畳されて表示される。さらに、画像表示領域Ｒ２６１では、玄関子機２０で撮像された画像のうち呼出時に表示される領域を決定するために用いる枠体Ｌ２６１が、画像Ｐ２６１に重畳されて表示される。
【０２５４】
ボタンＢ２６１は、画像Ｐ２６１の上方に表示され、枠体Ｌ２６１を上方に移動させる場合に操作される。ボタンＢ２６２は、画像Ｐ２６１の右方に表示され、枠体Ｌ２６１を右方に移動させる場合に操作される。ボタンＢ２６３は、画像Ｐ２６１の下方に表示され、枠体Ｌ２６１を下方に移動させる場合に操作される。ボタンＢ２６４は、画像Ｐ２６１の左方に表示され、枠体Ｌ２６１を左方に移動させる場合に操作される。
【０２５５】
第１操作領域Ｒ２６２では、四角形状のアイコンである確認ボタンＢ２６５が表示される。確認ボタンＢ２６５は、後述する第４映像範囲設定画面Ｇ２７を表示する場合に操作される。
【０２５６】
第２操作領域Ｒ２６３では、四角形状のアイコンである表示切替ボタンＢ２６６が表示される。表示切替ボタンＢ２６６は、ボタンＢ２６１〜Ｂ２６４、確認ボタンＢ２６５、表示切替ボタンＢ２６６及び後述するボタンＢ２６７の表示の切り替えを行う場合に操作される。図３１では、各ボタンの表示が許可された状態（表示ＯＮ状態）となっている。この状態で、表示切替ボタンＢ２６６に対して所定の操作（例えば、押操作）が行われると、各ボタンは非表示の状態（表示ＯＦＦ状態）となる。
【０２５７】
第３操作領域Ｒ２６４では、第３映像範囲設定画面Ｇ２６に遷移する前の画面（ここでは、第２映像範囲設定画面Ｇ２５）に遷移する際に操作される四角形状のアイコンであるボタンＢ２６７が表示される。
【０２５８】
（３−２６）第４映像範囲設定画面
第４映像範囲設定画面Ｇ２７は、第３映像範囲設定画面Ｇ２６で表示される確認ボタンＢ２６５に対して所定の操作（例えば、押操作）が行われることで、表示部１５に表示される。言い換えると、第３映像範囲設定画面Ｇ２６の確認ボタンＢ２６５に対して所定の操作が行われると、表示制御部１０１は、第４映像範囲設定画面Ｇ２７を生成し、生成した第４映像範囲設定画面Ｇ２７を表示部１５に表示させる。
【０２５９】
第４映像範囲設定画面Ｇ２７は、図３２に示すように、画像表示領域Ｒ２７１と、第１操作領域Ｒ２７２と、第２操作領域Ｒ２７３と、第３操作領域Ｒ２７４とを含む。
【０２６０】
画像表示領域Ｒ２７１では、第３映像範囲設定画面Ｇ２６で表示される画像Ｐ２６１のうち枠体Ｌ２６１に含まれる画像が拡大された画像Ｐ２７１が表示される。
【０２６１】
第１操作領域Ｒ２７２では、四角形状のアイコンである決定ボタンＢ２７１が表示される。決定ボタンＢ２７１は、玄関子機２０が撮像した画像のうち呼出に表示する範囲を決定する場合に操作される。決定ボタンＢ２７１に対して所定の操作が行われると、インターホン親機１０の制御部１９は、玄関子機２０が撮像した画像のうち枠体Ｌ２６１で示される範囲を記憶する。以降、玄関子機２０からの呼出があると、制御部１９の表示制御部１０１は、記憶している範囲を基に、玄関子機２０が撮像した画像から表示部１５で表示すべき領域を抽出し、抽出した領域を拡大して表示部１５に表示させる。
【０２６２】
第２操作領域Ｒ２７３では、四角形状のアイコンである表示切替ボタンＢ２７２が表示される。表示切替ボタンＢ２７２は、決定ボタンＢ２７１、表示切替ボタンＢ２７２及び後述するボタンＢ２７３の表示の切り替えを行う場合に操作される。図３２では、各ボタンの表示が許可された状態（表示ＯＮ状態）となっている。この状態で、表示切替ボタンＢ２７２に対して所定の操作（例えば、押操作）が行われると、各ボタンは非表示の状態（表示ＯＦＦ状態）となる。
【０２６３】
第３操作領域Ｒ２７４では、第４映像範囲設定画面Ｇ２７に遷移する前の画面（ここでは、第３映像範囲設定画面Ｇ２６）に遷移する際に操作される四角形状のアイコンであるボタンＢ２７３が表示される。
【０２６４】
（３−２７）呼出画面
呼出画面Ｇ２８は、第２呼出操作画面Ｇ６の複数のボタンＢ６１〜Ｂ６８のいずれかのボタンに対して所定の操作（例えば、押操作）が行われることで、表示される。言い換えると、第２呼出操作画面Ｇ６の複数のボタンＢ６１〜Ｂ６８のいずれかのボタンに対して所定の操作が行われると、表示制御部１０１は、呼出画面Ｇ２８を生成し、生成した呼出画面Ｇ２８を表示部１５に表示させる。
【０２６５】
呼出画面Ｇ２８は、図３３に示すように、第１呼出領域Ｒ２８１及び第２呼出領域Ｒ２８２を含む。
【０２６６】
第１呼出領域Ｒ２８１では、指定された呼出先に対して呼出を行っていることを表す図形のアイコンＰ２８１が表示される。本実施形態のアイコンＰ２８１は、受話器の図形と、音の出力を表す円弧形状の波紋の図形とで構成されている。
【０２６７】
第２呼出領域Ｒ２８２では、指定された呼出先に対して呼出を行っていることを表す情報と呼出先を表す情報との組からなる呼出情報Ｐ２８２が表示される。
【０２６８】
なお、呼出画面Ｇ２８において、呼出画面Ｇ２８に遷移する前の画面（ここでは、基本画面Ｇ１）に遷移する際に操作されるボタンが表示されてもよい。
【０２６９】
また、表示制御部１０１は、呼出先への呼出を行う際にアイコンＰ２８１を時間経過に伴って変化させてもよい。例えば、図３３において、表示制御部１０１は、アイコンＰ２８１を構成する３つの波紋が順次表示されるにようにアイコンＰ２８１を変化させてもよい。また、表示制御部１０１は、呼出確認音と連動して波紋が動くようにアイコンＰ２８１を変化させてもよい。さらに、表示制御部１０１は、通話状態に応じてアイコンＰ２８１を構成する３つの波紋の動きが変化するように、アイコンＰ２８１を表示してもよい。例えば、呼出中と通話中とで波紋が動く速度を変更してもよい。具体的には、呼出中では波紋の動きが早くなるように、通話中では波紋の動きが遅くなるように、表示制御部１０１は表示部１５におけるアイコンＰ２８１の表示を制御する。通話が終了した場合、表示制御部１０１は、波紋の動きが止まるように、表示部１５におけるアイコンＰ２８１の表示を制御する。
【０２７０】
（３−２８）第１伝言画面
第１伝言画面Ｇ２９は、第１呼出操作画面Ｇ５のボタンＢ５７に対して所定の操作（例えば、押操作）が行われることで、表示される。言い換えると、第１呼出操作画面Ｇ５のボタンＢ５７に対して所定の操作が行われると、表示制御部１０１は、第１伝言画面Ｇ２９を生成し、生成した第１伝言画面Ｇ２９を表示部１５に表示させる。第１伝言画面Ｇ２９は、インターホン親機１０の操作者に伝えるべき伝言が存在しない場合に、表示される。
【０２７１】
第１伝言画面Ｇ２９は、図３４に示すように、録音表示領域Ｒ２９１と、操作領域Ｒ２９２とを含む。
【０２７２】
第１伝言画面Ｇ２９では、録音可能な件数分の録音表示領域Ｒ２９１が含まれる。本実施形態では、３つの録音表示領域Ｒ２９１が第１伝言画面Ｇ２９に含まれる。
【０２７３】
録音表示領域Ｒ２９１では、伝言がないことを表すアイコンＰ２９１と、録音の開始及び終了を指示する録音ボタンＢ２９１とが表示される。
【０２７４】
録音ボタンＢ２９１に対して所定の操作（例えば、押操作）が行われると、インターホン親機１０の制御部１９は録音を開始する。録音中に録音ボタンＢ２９１に対して再度所定の操作が行われると、インターホン親機１０の制御部１９は録音を終了する。
【０２７５】
操作領域Ｒ２９２では、第１伝言画面Ｇ２９に遷移する前の画面（ここでは、第１呼出操作画面Ｇ５）に遷移する際に操作される四角形状のアイコンであるボタンＢ２９２が表示される。
【０２７６】
（３−２９）第２伝言画面
第２伝言画面Ｇ３０は、第１呼出操作画面Ｇ５のボタンＢ５７に対して所定の操作（例えば、押操作）が行われることで、表示される。言い換えると、第１呼出操作画面Ｇ５のボタンＢ５７に対して所定の操作が行われると、表示制御部１０１は、第２伝言画面Ｇ３０を生成し、生成した第２伝言画面Ｇ３０を表示部１５に表示させる。第２伝言画面Ｇ３０は、インターホン親機１０の操作者に伝えるべき伝言が存在する場合に、表示される。
【０２７７】
第２伝言画面Ｇ３０は、図３５に示すように、伝言表示領域Ｒ３０１と、操作領域Ｒ３０２とを含む。
【０２７８】
第２伝言画面Ｇ３０では、録音可能な件数分の伝言表示領域Ｒ３０１が含まれる。本実施形態では、３つの伝言表示領域Ｒ３０１が第２伝言画面Ｇ３０に含まれる。
【０２７９】
伝言表示領域Ｒ３０１では、伝言があることを表すアイコンＰ３０１と、伝言が録音された日時を表す日時情報Ｐ３０２と、伝言の再生を指示するアイコンである再生ボタンＢ３０１と、伝言の消去を指示するアイコンである消去ボタンＢ３０２とが表示される。なお、アイコンＰ３０１と、上述したアイコンＰ２９１とは、図形は同じであるが、表示色を異ならせることで、伝言の有無を表す。
【０２８０】
さらに、伝言表示領域Ｒ３０１では、伝言が未再生である場合には、未再生であることを表すアイコンである円形状のアイコンＭ３０１が表示される。
【０２８１】
再生ボタンＢ３０１に対して所定の操作（例えば、押操作）が行われると、インターホン親機１０の制御部１９は録音された伝言を再生する。具体的には、インターホン親機１０は、録音された音声を出力する。消去ボタンＢ３０２に対して所定の操作（例えば、押操作）が行われると、インターホン親機１０の制御部１９は録音された伝言を消去する。具体的には、インターホン親機１０は、録音された音声のデータを削除する。
【０２８２】
操作領域Ｒ３０２では、第２伝言画面Ｇ３０に遷移する前の画面（ここでは、第１呼出操作画面Ｇ５）に遷移する際に操作される四角形状のアイコンであるボタンＢ３０３が表示される。
【０２８３】
なお、図３５では、３件分の伝言表示領域Ｒ３０１を含んでいる。つまり、録音可能な件数分すべてに対して録音がされていることを想定した第２伝言画面Ｇ３０を用いて説明した。しかしながら、録音可能な件数分よりも録音された件数が少ない場合には、第２伝言画面Ｇ３０では、録音された件数分の伝言表示領域Ｒ３０１と、録音可能な残数分の伝言表示領域Ｒ３０１とが混在して表示されてもよい。
【０２８４】
（３−３０）呼出音設定画面
図３７に示す呼出音設定画面Ｇ３１を説明する前に、呼出音設定画面Ｇ３１の遷移前の画面（ここでは、設定表示画面Ｇ１４）について説明する。
【０２８５】
設定表示画面Ｇ１４は、上述したように、設定種別表示領域Ｒ１４１と操作領域Ｒ１４２との間に配置された詳細情報表示領域Ｒ１４３を含んでいる。
【０２８６】
図１８に示す設定表示画面Ｇ１４が表示されているときに、ボタンＢ１４１に対して所定の操作が行われると、呼出音設定に係るアイコン等の情報が、詳細情報表示領域Ｒ１４３に表示される。
【０２８７】
ボタンＢ１４１に対して所定の操作が行われると、詳細情報表示領域Ｒ１４３では、複数の四角形状のアイコンであるボタン（ここでは、６つのボタン１４１１〜１４１６）が表示される（図３６参照）。ボタン１４１１〜１４１６では、少なくとも設定内容を表す名称が表示される。さらに、設定状態を表す内容が表示されてもよい。例えば、ボタン１４１１では、設定内容を表す名称のみが表示される。また、ボタン１４１３では、設定内容の名称と、設定状態とが表示されている。この場合、名称は上段に、設定状態が下段に、それぞれ表示される。
【０２８８】
ボタン１４１１は、着信音を設定する場合に操作される。ボタン１４１２は、着信音の音量を設定する場合に操作される。ボタン１４１３は、操作音を出力するか否かを設定する場合に操作される。ボタン１４１４は、外部からのお知らせ等を出力する際の音量を設定する際に操作される。ボタン１４１５は、防犯音を設定する場合に操作される。ボタン１４１６は、地震発生を報知する際の報知音に係る設定を行う場合に操作される。
【０２８９】
なお、図３６において、詳細情報表示領域Ｒ１４３での表示の切り替えを行う場合に操作されるボタン形式のアイコンＰ１４１が表示されてもよい。
【０２９０】
次に、図３７に示す呼出音設定画面Ｇ３１について説明する。
【０２９１】
呼出音設定画面Ｇ３１は、図３６に示す設定表示画面Ｇ１４が表示されているときに、ボタン１４１１に対して所定の操作（例えば、押操作）が行われることで、表示部１５に表示される。言い換えると、設定表示画面Ｇ１４のボタン１４１１に対して所定の操作が行われると、表示制御部１０１は、呼出音設定画面Ｇ３１を生成し、生成した呼出音設定画面Ｇ３１を表示部１５に表示させる。
【０２９２】
呼出音設定画面Ｇ３１は、図３７に示すように、第１設定領域Ｒ３１１及び第２設定領域Ｒ３１２を含む。
【０２９３】
第１設定領域Ｒ３１１では、呼出元を選択するためのアイコンである複数のボタン（ここでは、５つのボタンＢ３１１〜Ｂ３１５）が表示される。ボタンＢ３１１〜Ｂ３１５の各々には呼出元を識別する名称が表示される。
【０２９４】
ボタンＢ３１１は、呼出元として第１玄関が表示されており、第１玄関から呼出がある場合の着信音の設定を行う場合に操作される。ここでは、例えば、第１玄関は上述した第１ドアホンであり図２に示す玄関子機２０に相当する。ボタンＢ３１２は、呼出元として第２玄関が表示されており、第２玄関から呼出がある場合の着信音の設定を行う場合に操作される。ここでは、例えば、第２玄関は上述した第２ドアホンに相当する。ボタンＢ３１３は、呼出元として管理室が表示されており、管理室装置５０から呼出がある場合の着信音の設定を行う場合に操作される。ボタンＢ３１４は、呼出元としてロビーインターホンが表示されており、ロビーインターホン３０から呼出がある場合の着信音の設定を行う場合に操作される。ボタンＢ３１５は、呼出元として他住戸が表示されており、他住戸から呼出がある場合の着信音の設定を行う場合に操作される。
【０２９５】
第２設定領域Ｒ３１２は、第３設定領域Ｒ３１３、第４設定領域Ｒ３１４及び操作領域Ｒ３１５を含む。
【０２９６】
第３設定領域Ｒ３１３では、鳴動音を設定するためのラジオボタンＢ３１６を含むアイコンＰ３１１が複数表示される。ここでは、１２個のアイコンＰ３１１が表示される。
【０２９７】
第４設定領域Ｒ３１４では、鳴動回数を設定するためのラジオボタンＢ３１７を含むアイコンＰ３１２が複数表示される。ここでは、２個のアイコンＰ３１２が表示される。
【０２９８】
操作領域Ｒ３１５では、四角形状のアイコンである決定ボタンＢ３１８が表示される。決定ボタンＢ３１８は、着信音の設定の対象となる呼出元の選択、鳴動音及び鳴動回数の選択を決定する場合に操作される。
【０２９９】
インターホン親機１０の操作者は、まず、呼出元を選択する。具体的には、操作者は、ボタンＢ３１１〜Ｂ３１５のうち着信音の設定に対象となる呼出元に対応するボタンを選択する。選択後、操作者は、鳴動音及び鳴動回数を選択する。全て選択後、決定ボタンＢ３１８に対して所定の操作を行うことで、設定が完了する。このとき、制御部１９は、選択された呼出元と、選択された鳴動音及び鳴動回数とを対応付けて記憶する。これにより、呼出元ごとに設定された鳴動音及び鳴動回数で呼出が行われる。
【０３００】
なお、鳴動音を選択する度に、制御部１９は、対応する鳴動音を通話部１７のスピーカから出力してもよい。これにより、インターホン親機１０の操作者は、鳴動音を試聴（確認）しながら鳴動音の選択が可能になる。
【０３０１】
なお、呼出音設定画面Ｇ３１において、呼出音設定画面Ｇ３１に遷移する前の画面（ここでは、設定表示画面Ｇ１４）に遷移する際に操作されるボタンが表示されてもよい。
【０３０２】
（３−３１）お手入れ画面及び補正画面
図３９に示すお手入れ画面Ｇ３２及び図４０に示す補正画面Ｇ３３を説明する前に、お手入れ画面Ｇ３２及び補正画面Ｇ３３の各々の遷移前の画面（ここでは、設定表示画面Ｇ１４）について説明する。
【０３０３】
設定表示画面Ｇ１４は、上述したように、設定種別表示領域Ｒ１４１と操作領域Ｒ１４２との間に配置された詳細情報表示領域Ｒ１４３を含んでいる。
【０３０４】
図１８に示す設定表示画面Ｇ１４が表示されているときに、ボタンＢ１４４に対して所定の操作が行われると、画面設定に係るアイコン等の情報が、詳細情報表示領域Ｒ１４３に表示される。
【０３０５】
ボタンＢ１４４に対して所定の操作が行われると、詳細情報表示領域Ｒ１４３では、複数の四角形状のアイコンであるボタン（ここでは、４つのボタン１４４１〜１４４４）が表示される（図３８参照）。ボタン１４４１〜１４４４では、少なくとも画面の設定内容を表す名称が表示される。さらに、設定状態を表す内容が表示されてもよい。例えば、ボタン１４４１では、画面の設定内容の名称と、設定状態とが表示されている。この場合、名称は上段に、設定状態が下段に、それぞれ表示される。ボタン１４４３では、画面の設定内容を表す名称のみが表示される。
【０３０６】
ボタン１４４１は、画面の明るさを設定する場合に操作される。ボタン１４４２は、ホーム画面となる初期画面を設定する場合に操作される。ボタン１４４３は、画面のお手入れを行う場合に操作される。ボタン１４４４は、タッチパネルの補正を行う場合に操作される。
【０３０７】
次に、図３９に示すお手入れ画面Ｇ３２について説明する。お手入れ画面Ｇ３２は、画面のメンテナンス（清掃）を行う場合に表示される。
【０３０８】
お手入れ画面Ｇ３２は、図３８に示す設定表示画面Ｇ１４が表示されているときに、ボタン１４４３に対して所定の操作（例えば、押操作）が行われることで、表示部１５に表示される。言い換えると、設定表示画面Ｇ１４のボタン１４４３に対して所定の操作が行われると、表示制御部１０１は、お手入れ画面Ｇ３２を生成し、生成したお手入れ画面Ｇ３２を表示部１５に表示させる。
【０３０９】
お手入れ画面Ｇ３２では、画面のお手入れを行う旨のメッセージＰ３２１が表示される。
【０３１０】
お手入れ画面Ｇ３２は、操作領域Ｒ３２１を含む。操作領域Ｒ３２１では、お手入れ画面Ｇ３２の表示を終了する場合、つまりお手入れが完了した場合に操作される四角形状のアイコンであるボタンＢ３２１が表示される。ボタンＢ３２１に対して所定の操作（例えば、押操作）が行われると、表示部１５で表示される画面がお手入れ画面Ｇ３２から例えば基本画面Ｇ１に遷移する。
【０３１１】
お手入れ画面Ｇ３２が表示されると、制御部１９は、タッチパネルに対する操作を無効とする。これにより、お手入れ画面Ｇ３２が表示されているときに、インターホン親機１０の操作者が表示部１５に触れても何ら反応はしない。そのため、操作者は、容易にお手入れをすることができる。
【０３１２】
次に、図４０に示す補正画面Ｇ３３について説明する。補正画面Ｇ３３は、タッチパネルの反応位置を調整する際に表示される。
【０３１３】
補正画面Ｇ３３は、図３８に示す設定表示画面Ｇ１４が表示されているときに、ボタン１４４４に対して所定の操作（例えば、押操作）が行われることで、表示部１５に表示される。言い換えると、設定表示画面Ｇ１４のボタン１４４４に対して所定の操作が行われると、表示制御部１０１は、補正画面Ｇ３３を生成し、生成した補正画面Ｇ３３を表示部１５に表示させる。
【０３１４】
補正画面Ｇ３３では、補正を行う旨のメッセージＰ３３１、及びタッチ位置を指定する十字形状の図形を表すアイコンＰ３３２が表示される。
【０３１５】
補正画面Ｇ３３は、操作領域Ｒ３３１を含む。操作領域Ｒ３３１では、補正画面Ｇ３３の表示を終了する場合、つまり補正を終了する場合に操作される四角形状のアイコンであるボタンＢ３３１が表示される。ボタンＢ３３１に対して所定の操作（例えば、押操作）が行われると、表示部１５で表示される画面が補正画面Ｇ３３から例えば基本画面Ｇ１に遷移する。
【０３１６】
補正画面Ｇ３３が表示されると、表示制御部１０１は、表示部１５にメッセージＰ３３１及びアイコンＰ３３２を表示する。インターホン親機１０の操作者は、アイコンＰ３３２に含まれる十字形状の図形において、十字の交点（中心）をタッチする。制御部１９は、中心の表示位置と、操作者がタッチした位置とに基づいて、反応位置を補正する。
【０３１７】
（３−３２）ズーム画面
上述したように呼出表示画面Ｇ２２では、呼出元の撮像装置に対してズームを指示する場合に操作されるボタンＢ２２２が表示されている。
【０３１８】
ズーム画面Ｇ３４は、ボタンＢ２２２に対して所定の操作（例えば、押操作）が行われることで、表示部１５に表示される。言い換えると、呼出表示画面Ｇ２２のボタンＢ２２２に対して所定の操作が行われると、表示制御部１０１は、ズーム画面Ｇ３４を生成し、生成したズーム画面Ｇ３４を表示部１５に表示させる。
【０３１９】
ズーム画面Ｇ３４は、図４１に示すように、第１画像Ｐ３４１、第２画像Ｐ３４２、及びボタンＢ２２１，Ｂ２２３〜Ｂ２２７，Ｂ３４２を含む。ボタンＢ２２１，Ｂ２２３〜Ｂ２２７については、呼出表示画面Ｇ２２で既に説明しているので、ここでの説明は省略する。
【０３２０】
第１画像Ｐ３４１は、呼出時又は通話時に呼出元の撮像装置が撮像した画像（動画像）である。第１画像Ｐ３４１は、呼出表示画面Ｇ２２で表示される第１画像Ｐ２２１の一部の領域（例えば、人の顔を含む領域）が拡大された画像、要は人の顔をズームした画像である。第２画像Ｐ３４２は、呼出前（例えば、呼出操作が行われる前、又は呼出操作が行われる最中）に呼出元の撮像装置が撮像した画像（静止画像）である。なお、第１画像Ｐ３４１静止画像であってもよい。また、第２画像Ｐ３４２は動画像であってもよい。
【０３２１】
ボタンＢ３４２は、呼出元の撮像装置に対して撮像範囲を広範囲とするワイド撮像を指示する場合に操作される。ボタンＢ３４２に対して所定の操作（例えば、押操作）が行われると、インターホン親機１０は、呼出元の撮像装置がワイド撮像を行うように、呼出元に対してワイド撮像処理に係る指示を送信する。これにより、呼出元は、撮像装置によるワイド撮像を行う。
【０３２２】
（３−３３）変更画面
上述したように呼出表示画面Ｇ２２では、表示されている画像の画質、及び通話部１７のスピーカから出力されている音声の音量等を変更する場合に操作されるボタンＢ２２５が表示されている。
【０３２３】
変更画面Ｇ３５は、ボタンＢ２２５に対して所定の操作（例えば、押操作）が行われることで、表示部１５に表示される。言い換えると、呼出表示画面Ｇ２２のボタンＢ２２５に対して所定の操作が行われると、表示制御部１０１は、変更画面Ｇ３５を生成し、生成した変更画面Ｇ３５を表示部１５に表示させる。
【０３２４】
変更画面Ｇ３５は、図４２に示すように、画像Ｐ３５１と、ボタンＢ２２１〜Ｂ２２７とを含む。ボタンＢ２２１〜Ｂ２２７については、呼出表示画面Ｇ２２で既に説明しているので、ここでの説明は省略する。
【０３２５】
画像Ｐ３５１は、呼出時又は通話時に呼出元の撮像装置が撮像した画像（動画像）である。
【０３２６】
変更画面Ｇ３５は、設定領域Ｒ３５１を、更に含む。設定領域Ｒ３５１は、複数の変更操作領域（図示例では４つの変更操作領域Ｒ３５２〜Ｒ３５５）を含む。
【０３２７】
変更操作領域Ｒ３５２では、通話部１７のマイクロホンの指向性の機能の有効及び無効を切り替えるためのアイコンであるスライド形式のボタンＢ３５１が表示される。制御部１９は、ボタンＢ３５１による設定に応じて、マイクロホンの指向性の機能を有効にしたり無効にしたりする。
【０３２８】
変更操作領域Ｒ３５３では、表示する画像の補正の有効及び無効を切り替えるためのアイコンであるボタンＢ３５２が表示される。ボタン３５２では、現在設定されている状態が表示される。図４２では、画像の補正は無効であることを表す文字“切”が表示されている。インターホン親機１０の操作者は、ボタンＢ３５２に対して所定の操作を行うことで、画像の補正の有効及び無効を切り替える。制御部１９は、設定された内容に応じて画像の補正を有効にしたり無効にしたりする。
【０３２９】
変更操作領域Ｒ３５４では、画面の明るさを変更するアイコンであるスライダ形式のボタンＢ３５３、及び２つのボタンＢ３５４、Ｂ３５５が表示される。ボタンＢ３５４は、画面を暗くする場合に操作される。ボタンＢ３５５は、画面を明るくする場合に操作される。
【０３３０】
インターホン親機１０の操作者は、画面の明るさを変更する場合には、ボタンＢ３５３をスライドして明るさの明暗を変更する。または、操作者は、ボタンＢ３５４に対して所定の操作(例えば、押操作)を行うことで画面を暗くし、ボタンＢ３５４に対して所定の操作(例えば、押操作)を行うことで画面を明るくする。表示制御部１０１は、設定された明るさで各画面を表示するように表示部１５を制御する。
【０３３１】
変更操作領域Ｒ３５５では、音量を変更するアイコンであるスライダ形式のボタンＢ３５６、及び２つのボタンＢ３５７、Ｂ３５８が表示される。ボタンＢ３５７は、音量を小さくする場合に操作される。ボタンＢ３５８は、音量を大きくする場合に操作される。
【０３３２】
インターホン親機１０の操作者は、音量を変更する場合には、ボタンＢ３５５をスライドして音量の大きさを変更する。または、操作者は、ボタンＢ３５７に対して所定の操作(例えば、押操作)を行うことで音量を小さくし、ボタンＢ３５８に対して所定の操作(例えば、押操作)を行うことで音量を大きくする。制御部１９は、設定された音量で音声を出力するように通話部１７を制御する。
【０３３３】
変更画面Ｇ３５は、ボタンＢ３５９を、更に含む。ボタンＢ３５９は、設定領域Ｒ３５１の表示及び非表示の切り替えを行う場合に操作される。図４２で示す変更画面Ｇ３５では、設定領域Ｒ３５１は表示された状態となっている。この状態で、ボタンＢ３５９に対して所定の操作（例えば、押操作）が行われると、設定領域Ｒ３５１は非表示の状態となる。変更画面Ｇ３５は、設定領域Ｒ３５１が非表示となると、呼出表示画面Ｇ２２と同等の画面となる。
【０３３４】
（３−３４）施工設定画面
施工設定画面Ｇ３６は、第１映像範囲設定画面Ｇ２４の表示と同様に、インターホン親機１０の施工時に施工業者の作業員によって所定の操作が行われることで、表示部１５に表示される。言い換えると、作業員によって所定の操作が行われると、表示制御部１０１は、施工設定画面Ｇ３６を生成し、生成した施工設定画面Ｇ３６を表示部１５に表示させる。
【０３３５】
施工設定画面Ｇ３６は、図４３に示すように、メニュー表示領域Ｇ３６１と、操作表示領域Ｒ３６２とを含む。
【０３３６】
メニュー表示領域Ｇ３６１では、施工時での設定すべき内容を選択するためのアイコンである四角形状の複数のボタン（ここでは、５つの選択ボタンＢ３６１〜Ｂ３６５）が表示される。
【０３３７】
本実施形態では、選択ボタンＢ３６１は通話及び放送（外部との通信）に係る設定を行う場合に操作される。選択ボタンＢ３６２は通知及び移報に係る設定を行う場合に操作される。選択ボタンＢ３６３は自機と接続する他のシステム（回路）の選択、及び接続に係る設定を行う場合に操作される。選択ボタンＢ３６４は警報に係る設定を行う場合に操作される。選択ボタンＢ３６５は防犯に係る設定を行う場合に操作される。
【０３３８】
操作領域Ｒ３６１では、施工設定画面Ｇ３６に遷移する前の画面（例えば、基本画面Ｇ１）に遷移する際に操作される四角形状のアイコンであるボタンＢ３６６が表示される。
【０３３９】
（３−３５）第１回路設定画面
第１回路設定画面Ｇ３７は、図４３に示す施工設定画面Ｇ３６が表示されているときに、選択ボタンＢ３６３に対して所定の操作（例えば、押操作）が行われることで、表示部１５に表示される。言い換えると、図４３に示す施工設定画面Ｇ３６が表示されているときに選択ボタンＢ３６３に対して所定の操作が行われると、表示制御部１０１は、第１回路設定画面Ｇ３７を生成し、生成した第１回路設定画面Ｇ３７を表示部１５に表示させる。
【０３４０】
第１回路設定画面Ｇ３７は、図４４に示すように、回路選択領域Ｒ３７１と、第１操作領域Ｒ３７２と、第２操作領域Ｒ３７３とを含む。
【０３４１】
回路選択領域Ｒ３７１では、施工時に自機と接続可能な回路数に応じて、アイコンである複数の回路情報Ｐ３７１が表示される。回路情報Ｐ３７１は、当該回路情報Ｐ３７１に割り当てられた名称（回路名称）と、自機と接続された回路（他のシステム又は自機が備える回路）で監視される内容（監視名称）と、四角形状の変更ボタンＢ３７１及び詳細ボタンＢ３７２とを含む。回路名称は、回路＃１、回路＃２、回路＃３、・・・、回路＃８である。監視名称は、図示例では、防犯＃１、過電流、汎用警報＃１、外部防犯＃１、電池切れ、水漏れ、スイッチストライク及び接続機器異常である。
【０３４２】
変更ボタンＢ３７１は、接続される回路（他のシステム又は自機の回路）を変更、つまり監視対象を変更する場合に操作される。詳細ボタンＢ３７２は、監視対象に関する詳細な設定を行う場合に操作される。
【０３４３】
第１操作領域Ｒ３７２では、回路選択領域Ｒ３７１での表示の切り替えを行う場合に操作されるボタン形式のアイコンＰ３７２が表示される。ここでは、ページ切替のアイコンＰ３７２が表示される。
【０３４４】
第２操作領域Ｒ３７３では、第１回路設定画面３７に遷移する前の画面（ここでは、施工設定画面Ｇ３６）に遷移する際に操作される四角形状のアイコンであるボタンＢ１４７が表示される。
【０３４５】
（３−３６）第２回路設定画面
第２回路設定画面Ｇ３８は、図４４に示す第１回路設定画面Ｇ３７が表示されているときに、複数の変更ボタンＢ３７１のうち１つの変更ボタンＢ３７１に対して所定の操作（例えば、押操作）が行われることで、表示部１５に表示される。言い換えると、図４４に示す第１回路設定画面Ｇ３７が表示されているときに１つの変更ボタンＢ３７１に対して所定の操作が行われると、表示制御部１０１は、所定の操作が行われた変更ボタンＢ３７１に対応する回路情報Ｐ３７１に係る第２回路設定画面Ｇ３８を生成し、生成した第２回路設定画面Ｇ３８を表示部１５に表示させる。
【０３４６】
第２回路設定画面Ｇ３８は、図４５に示すように、設定選択領域Ｒ３８１と、第１操作領域Ｒ３８２と、第２操作領域Ｒ３８３とを含む。
【０３４７】
設定選択領域Ｒ３８１では、接続可能な回路（他のシステム又は自機の回路）に係る情報を表す複数の四角形状のアイコンＰ３８１が表示される。各アイコンＰ３８１では、ラジオボタンＢ３８１と、接続される回路（他のシステム又は自機の回路）に関連する情報（ここでは、監視名称）とが、表示される。
【０３４８】
第１操作領域Ｒ３８２では、四角形状のアイコンである決定ボタンＢ３８２が表示される。決定ボタンＢ３８２は、設定選択領域Ｒ３８１で表示される複数のアイコンＰ３８１のうち１つのアイコンＰ３８１の選択を決定する場合に操作される。
【０３４９】
第２操作領域Ｒ３８３では、第２回路設定画面Ｇ３８に遷移する前の画面（ここでは、第１回路設定画面Ｇ３７）に遷移する際に操作される四角形状のアイコンであるボタンＢ３８３が表示される。
【０３５０】
インターホン親機１０の施工時の作業者は、第１回路設定画面Ｇ３７で選択した回路情報Ｐ３７１に含めるべき監視名称に対応するラジオボタンＢ３８１を、複数のラジオボタンＢ３８１から選択する。その後、作業者が決定ボタンＢ３８２に対して所定の操作（例えば、押操作）を行うと、制御部１９は、選択された監視名称に対応する回路（他のシステム又は自機の回路）を通信相手として設定する。要は、制御部１９は、選択された監視名称に対応する回路（他のシステム又は自機の回路）との間で情報の送受信を行うように制御する。ここで、図示例において“未使用”とは、対応する回路情報Ｐ３７１には、接続すべき回路を対応付けてないことを意味する。
【０３５１】
（３−３７）第３回路設定画面
第３回路設定画面Ｇ３９は、図４４に示す第１回路設定画面Ｇ３７が表示されているときに、複数の詳細ボタンＢ３７２のうち１つの詳細ボタンＢ３７２に対して所定の操作（例えば、押操作）が行われることで、表示部１５に表示される。言い換えると、図４４に示す第１回路設定画面Ｇ３７が表示されているときに１つの詳細ボタンＢ３７２に対して所定の操作が行われると、表示制御部１０１は、所定の操作が行われた詳細ボタンＢ３７２に対応する回路に係る第３回路設定画面Ｇ３９を生成し、生成した第３回路設定画面Ｇ３９を表示部１５に表示させる。
【０３５２】
第３回路設定画面Ｇ３９は、図４６に示すように、第１設定表示領域Ｒ３９１と、第２設定表示領域Ｒ３９２とを含む。
【０３５３】
第１設定表示領域Ｒ３９１では、第１回路設定画面Ｇ３７で選択された回路情報Ｐ３７１に対応付けられた回路（他のシステム又は自機の回路）との接続による監視に関連する詳細な設定を行うためのアイコンである複数の四角形状のボタンが表示される。図示例では、第１設定表示領域Ｒ３９１では、６つのボタンＢ３９１〜Ｂ３９６が一方向に沿って表示される。表示される。ボタンＢ３９１〜Ｂ３９６には、詳細設定の内容を示す情報（詳細設定に関する名称）及び現在の設定状態が表示される。図示例では、ボタンＢ３９１〜Ｂ３９６の各々の上段に詳細設定に関する名称が、下段に現在の設定状態が表示される。
【０３５４】
図４６では、ボタンＢ３９１では、詳細設定に関する名称として“表示”が、現在の設定状態（現在設定されている監視名称）として“防犯＃１”が、それぞれ表示されている。ボタンＢ３９１は、監視名称を設定又は変更する場合に操作される。
【０３５５】
ボタンＢ３９２では、詳細設定に関する名称として“制御装置移報”が、現在の設定状態として“あり”が、それぞれ表示されている。“制御装置への移報があり”とは、防犯の監視時の検知結果を制御装置４０に送信することを表す。ボタンＢ３９２は、制御装置４０への移報を行うか否かを設定又は変更する場合に操作される。
【０３５６】
ボタンＢ３９３では、詳細設定に関する名称として“ドアホン移報”が、現在の設定状態として“あり”が、それぞれ表示されている。“ドアホンへの移報があり”とは、防犯の監視時の検知結果を玄関子機２０に送信することを表す。ボタンＢ３９３は、玄関子機２０への移報を行うか否かを設定又は変更する場合に操作される。
【０３５７】
ボタンＢ３９４では、詳細設定に関する名称として“防犯警戒遅延”が、現在の設定状態として“なし”が、それぞれ表示されている。ボタンＢ３９４は、防犯警戒の遅延を行うか否かを設定又は変更する場合に操作される。
【０３５８】
ボタンＢ３９５では、詳細設定に関する名称として“防犯予備警報”が、現在の設定状態として“なし”が、それぞれ表示されている。ボタンＢ３９５は、防犯時に予備警報に関する設定又は変更する場合に操作される。
【０３５９】
ボタンＢ３９６では、詳細設定に関する名称として“センサ検出方式”が、現在の設定状態として“ｂ接点”が、それぞれ表示されている。ボタンＢ３９６は、防犯に使用するセンサの検出方式についての設定又は変更する場合に操作される。
【０３６０】
なお、詳細な設定を行うための１つ以上のボタンが一列で表示できない場合には、複数の列で表示される。
【０３６１】
第２設定表示領域Ｒ３９２では、ボタンＢ３９１〜Ｂ３９６のいずれかのボタンに対して所定の操作（例えば、押操作）が行われた場合に、所定の操作が行われたボタンに対応する詳細設定に関連するアイコンが表示される。
【０３６２】
例えば、ボタンＢ３９１に対して所定の操作が行われると、第２設定表示領域Ｒ３９２に、表示に関する詳細設定を行うための複数の四角形状のアイコンＰ３９１（ここでは、１２のアイコンＰ３９１）が表示される（図４６参照）。各アイコンＰ３９１は、ラジオボタンＢ３９７と、監視名称とを含む。作業者は、接続される回路（他のシステム又は自機の回路）に相当する名称を、複数のアイコンＰ３９１から選択し、選択したアイコンＰ３９１に含まれるラジオボタンＢ３９７に対して所定の操作を行う。これにより、表示すべき監視名称が選択される。選択されたアイコンＰ３９１に含まれる名称が、図１４で説明した防犯情報Ｐ１０１に含まれる名称に相当する。
【０３６３】
第２設定表示領域Ｒ３９２では、決定ボタンＢ３９８が、さらに表示される。決定ボタンＢ３９８は、第２設定表示領域Ｒ３９２で表示される複数のアイコンＰ３９１のうち１つのアイコンＰ３９１の選択を決定する場合に操作される。
【０３６４】
なお、第３回路設定画面Ｇ３９において、第３回路設定画面Ｇ３９に遷移する前の画面（ここでは、第２回路設定画面Ｇ３８）に遷移する際に操作されるボタンが表示されてもよい。または、第３回路設定画面Ｇ３９において、第２設定表示領域Ｒ３９２での表示の切り替えを行う場合に操作されるボタン形式のアイコンが表示されてもよい。
【０３６５】
（３−３８）着信通話終了画面
着信通話終了画面Ｇ４０は、通話中に、インターホン親機１０に対する操作以外の操作（例えば、来客者による通話終了の操作）が行われた場合に、表示部１５に表示される。言い換えると、通話中にインターホン親機１０以外で通話終了の操作が行われると、表示制御部１０１は、着信通話終了画面Ｇ４０を生成し、生成した着信通話終了画面Ｇ４０を表示部１５に表示させる。ここで、インターホン親機１０に対する操作とは、図３に示す通話関連ボタン１５０に対する押操作による通話終了の操作、及び解錠ボタン１５１に対する押操作による自動通話終了操作である。
【０３６６】
着信通話終了画面Ｇ４０は、図４７に示すように、表示領域Ｒ４０１と、ボタンＢ２２１〜Ｂ２２６とを含む。ボタンＢ２２１〜Ｂ２２６については、呼出表示画面Ｇ２２で既に説明しているので、ここでの説明は省略する。
【０３６７】
表示領域Ｒ４０１では、通話が終了したことを表すメッセージＰ４０１が表示される。
【０３６８】
なお、着信通話終了画面Ｇ４０は、玄関子機２０及びロビーインターホン３０のいずれかからの呼出中に（呼出画面Ｇ２２が表示されているときに）、呼出元で呼出の終了操作が行われた場合、又はインターホン親機で所定時間内に呼出に対する応答が行われなかった場合に、表示部１５で表示されてもよい。
【０３６９】
また、通話中において所定時間を経過した場合において、着信通話終了画面Ｇ４０が表示部１５に表示されてもよい。
【０３７０】
通話中等、インターホン親機１０の操作者（呼出に対する応答者）が自身で通話の操作を行っていないにも関わらず、呼出側又は時間超過による通話終了に係る操作（処理）が行われると、応答者はインターホン親機１０が故障したのではないかと不安になる。そこで、着信通話終了画面Ｇ４０が表示されることで、インターホン親機１０の操作者（呼出に対する応答者）は、自身の操作以外で着信や通話が終了したことを知ることができる。そのため、インターホン親機１０が故障したのではないかといった不安を感じる可能性が低くなる。
【０３７１】
（３−３９）基本画面の変形例
上述した基本画面Ｇ１の第５表示領域Ｒ５では、状態関連情報として、スライド形式の第２切替ボタンＢ７と、当該第２切替ボタンＢ７の操作に対応する動作内容（ここでは、“防犯”）が表示される。しかしながら、第５表示領域Ｒ５では、図４８に示すように、スライド形式の第２切替ボタンＢ７の代わりに他のボタンを表示してもよい。
【０３７２】
例えば、基本画面Ｇ１の第５表示領域Ｒ５では、押ボタン形式のボタンＢ４１１が表示されてもよい。ボタンＢ４１１では、住戸Ｅ２のうち防犯の監視対象となる箇所（玄関の扉、窓等）を表すアイコンが表示される。ボタンＢ４１１に対して押操作が行われると、基本画面Ｇ１から防犯設定画面Ｇ１０へと画面遷移するとともに、ボタンＢ４１１に表示されたアイコンに対する監視対象について防犯の監視開始までの時間のカウントダウンを開始する。この場合、防犯設定画面Ｇ１０では、ボタンＢ４１１については操作不可の状態で表示される。
【０３７３】
（４）利点
本実施形態では、基本画面Ｇ１の第１表示領域Ｒ１において、インターホン親機１０と通信端末との間の通信により取得した取得情報（例えば、画像Ｐ１）が表示される。そのため、インターホン親機１０の操作者は、基本画面Ｇ１を見るだけで、例えば留守中に住戸Ｅ２に訪問した者を知ることができる。つまり、基本画面Ｇ１に対してボタン操作等を行うことなく他の端末から取得した情報、来訪者等を知ることができる。
【０３７４】
また、本実施形態では、タイムライン画面Ｇ３において、玄関子機２０及びロビーインターホン３０等の通信端末、つまりインターホン親機の呼出元となる通信端末から取得した情報を表示している。これにより、タイムライン画面Ｇ３では、インターホン親機１０の住戸Ｅ２の居住者が知らない情報が表示されるので、例えば留守中の来客等を知ることができる。
【０３７５】
また、防犯設定画面Ｇ１０の第２操作領域Ｒ１０６では、切替情報としてのスライド形式の切替ボタンＢ１０６表示される。そのため、インターホン親機１０の操作者は、第１切替ボタンＢ６を操作するために基本画面Ｇ１に再度遷移する必要がないので、画面遷移のための操作回数を削減することができる。
【０３７６】
また、防犯設定画面Ｇ１０の第３操作領域Ｒ１０７では、施設５に設けられたエレベータの制御に関する制御関連情報としてのボタンＢ１０７が表示される。そのため、インターホン親機１０の操作者は、防犯設定画面Ｇ１０から操作選択画面Ｇ９に画面遷移する必要がないので、画面遷移のための操作回数を削減することができる。
【０３７７】
（５）変形例
上記実施形態は、本開示の様々な実施形態の一つに過ぎない。上記実施形態は、本開示の目的を達成できれば、設計等に応じて種々の変更が可能である。以下に、変形例について列記する。なお、以下に説明する変形例は、上記実施形態と適宜組み合わせて適用可能である。
【０３７８】
上記実施形態では、初期画面として基本画面Ｇ１を表示する構成としたが、この構成に限定されない。初期画面として外部装置から取得した情報（例えば、地域のお知らせ情報）を表示する画面（コンテンツ画面）を初期画面としてもよい。この場合、表示部１５で表示されるホームボタン１５５が押されると、コンテンツ画面が表示部１５に表示される。または、インターホン親機１０が設置される施設５の用途に応じてカスタマイズされた画面を初期画面としてもよい。
【０３７９】
上記実施形態で説明したボタン等のアイコンの表示態様は、インターホン親機１０の施工業者又は利用者によって変更されてもよい。例えば、アイコンの形、色、名称を表示する際の字体、文字の大きさ等を変更してもよい。
【０３８０】
上記実施形態において、タイムライン画面Ｇ３において、未来の予定を登録、表示してもよい。この場合、登録した予定の開始時刻に近づくとアラームを発報してもよい。
【０３８１】
上記実施形態において、基本画面Ｇ１は、呼出音、再生音等の音量を調整する操作部を表示する表示領域を含んでもよい。
【０３８２】
上記実施形態では、表示システム１としてのインターホン親機１０は、集合住宅に用いられるインターホンシステム２に備えられる構成としたが、この構成に限定されない。インターホン親機１０は、集合住宅以外の施設、例えば戸建のインターホンシステムに備えられる構成であってもよい。
【０３８３】
上記実施形態では、インターホン親機１０を表示システム１としての表示端末の一例として説明した。表示システム１としての表示端末は、インターホン親機１０に限らず、他の通信端末と通信可能であり、当該通信によって取得した情報を表示する端末であればよい。例えば、表示システム１としての表示端末は、スマートフォン、タブレット端末、又はパーソナルコンピュータ等であってもよい。
【０３８４】
上述した表示システム１（インターホン親機１０）と同様の機能は、表示方法、コンピュータプログラム、又はプログラムを記録した非一時的な記録媒体等で具現化されてもよい。一態様に係る表示システム１の表示方法は、表示部１５を有する表示端末（例えば、インターホン親機１０）の表示部１５に表示する表示方法である。表示方法は、表示部１５の基本画面Ｇ１に、表示端末と通信可能な複数の通信端末（例えば、玄関子機２０、ロビーインターホン３０等）のうち表示端末と通信を行った通信端末と、表示端末との間の当該通信により取得した情報を表示する第１表示領域Ｒ１を表示する。一態様に係るプログラムは、上述した表示方法をコンピュータで実行するためのプログラムである。
【０３８５】
本開示における表示システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０３８６】
また、表示システム１における複数の機能が、１つの筐体内に集約されていることは表示システム１に必須の構成ではなく、表示システム１の構成要素は、複数の筐体に分散して設けられていてもよい。さらに、表示システム１の少なくとも一部の機能、例えば、インターホン親機１０（表示端末）の一部の機能がクラウド（クラウドコンピューティング）等によって実現されてもよい。
【０３８７】
（まとめ）
以上説明したように、第１の態様の表示方法は、表示部（１５）を有する表示端末（例えば、インターホン親機１０）の表示部（１５）に表示する表示方法である。表示方法は、表示部（１５）の基本画面（Ｇ１）の情報表示領域（第１表示領域Ｒ１）に、表示端末と通信可能な複数の通信端末（例えば、玄関子機２０、ロビーインターホン３０）のうち表示端末と通信を行った通信端末と、表示端末との間の当該通信により取得した取得情報（例えば、画像Ｐ１）を表示する。
【０３８８】
第１の態様によると、表示装置と通信端末との間の通信により取得した取得情報（例えば、画像Ｐ１）が表示される。そのため、表示装置の操作者は、基本画面（Ｇ１）を見るだけで、例えば留守中に住戸（Ｅ２）に訪問した者を知ることができる。つまり、基本画面（Ｇ１）に対してボタン操作等を行うことなく通信端末から取得した情報、来訪者等を知ることができる。
【０３８９】
第２の態様の表示方法では、第１の態様において、取得情報は、画像である。表示方法は、情報表示領域に、通信端末から取得した最新の画像を取得情報として表示する。
【０３９０】
第２の態様によると、表示装置の操作者は、基本画面（Ｇ１）を見るだけで、例えば留守中における直近の訪問者を知ることができる。
【０３９１】
第３の態様の表示方法は、第１又は第２の態様において、情報表示領域で表示される取得情報と、複数の通信端末のうち通信を行った１つ以上の通信端末から取得した他の取得情報とを含む情報群を表示する画面（例えば、タイムライン画面Ｇ３）へと基本画面（Ｇ１）から遷移するための遷移関連情報（例えば、ボタンＢ１）を、基本画面（Ｇ１）の遷移関連表示領域（第２表示領域Ｒ２）に表示する。
【０３９２】
第３の態様によると、表示装置の操作者は、基本画面（Ｇ１）を見るだけで、例えば留守中における複数の訪問者を知ることができる。
【０３９３】
第４の態様の表示方法は、第１〜第３のいずれかの態様において、情報表示領域で所定の操作が行われると、情報表示領域で表示されている情報に係る詳細情報を表示する画面（例えば、再生画面Ｇ２）へと基本画面（Ｇ１）から遷移する。
【０３９４】
第４の態様によると、表示装置の操作者は、例えば留守中における訪問者の詳細な情報を知ることができる。
【０３９５】
第５の態様の表示方法は、第１〜第４のいずれかの態様において、表示端末が接続されるシステムの種類及び表示端末の設定の少なくとも一方に関連する操作に関し、表示態様の異なる複数の操作関連情報（例えば、呼出操作ボタンＢ２、撮像操作ボタンＢ３、表示操作ボタンＢ４、設備操作ボタンＢ５）を、基本画面（Ｇ１）の操作関連表示領域（第３表示領域Ｒ３）に表示する。
【０３９６】
第５の態様によると、表示端末が接続されるシステムの種類及び表示端末の設定を行うことができる。
【０３９７】
第６の態様の表示方法は、第１〜第５のいずれかの態様において、表示端末及び表示端末を含むシステムの少なくとも一方の動作を切り替えるための操作に係る操作切替関連情報（例えば、第１切替ボタンＢ６）を、基本画面（Ｇ１）の操作切替表示領域（第４表示領域Ｒ４）に表示する。
【０３９８】
第６の態様によると、表示装置の操作者は、基本画面（Ｇ１）で表示端末及び表示端末を含むシステムの少なくとも一方の動作を切り替えることができる。
【０３９９】
第７の態様の表示方法は、第１〜第６のいずれかの態様において、表示端末が設けられた空間に関する状態を示す状態関連情報（例えば、第２切替ボタンＢ７）を、基本画面（Ｇ１）の状態表示領域（第５表示領域Ｒ５）に表示する。
【０４００】
第７の態様によると、表示装置の操作者は、基本画面（Ｇ１）を見ることで空間に関する状態を知ることができる。
【０４０１】
第８の態様の表示方法は、第１〜第７のいずれかの態様において、表示端末のユーザーに対する通知に関連する通知関連情報（例えば、警報通知ボタンＢ８、管理人通知ボタンＢ９、宅配通知ボタンＢ１０）を、基本画面（Ｇ１）の通知表示領域（第６表示領域Ｒ６）に表示する。
【０４０２】
第８の態様によると、表示装置のユーザ（操作者）は、基本画面（Ｇ１）を見ることで、例えば通知の有無を知ることができる。
【０４０３】
第９の態様のプログラムは、第１〜第８のいずれかの態様の表示方法をコンピュータで実行するためのプログラムである。
【０４０４】
第９の態様によると、基本画面（Ｇ１）に対してボタン操作等を行うことなく通信端末から取得した情報、来訪者等を知ることができる。
【０４０５】
第１０の態様の表示システム（１）は、表示制御部（１０１）を備える。表示制御部（１０１）は、複数の通信端末（例えば、玄関子機２０、ロビーインターホン３０）のうち、通信を行った通信端末からの通信に伴って通信端末から取得した取得情報を、基本画面（Ｇ１）の情報表示領域（第１表示領域Ｒ１）に表示するよう、表示部（１５）を制御する。
【０４０６】
第１０の態様によると、基本画面（Ｇ１）に対してボタン操作等を行うことなく通信端末から取得した情報、来訪者等を知ることができる。
【符号の説明】
【０４０７】
１    表示システム
１０    インターホン親機（表示端末）
２０    玄関子機（通信端末）
３０    ロビーインターホン（通信端末）
５０    管理室装置（通信端末）
１０１    表示制御部
Ｇ１    基本画面
Ｂ１    ボタン（遷移関連情報）
Ｂ２    呼出操作ボタン（操作関連情報）
Ｂ３    撮像操作ボタン（操作関連情報）
Ｂ４    表示操作ボタン（操作関連情報）
Ｂ５    設備操作ボタン（操作関連情報）
Ｂ６    第１切替ボタン（操作切替関連情報）
Ｂ７    第２切替ボタン（状態関連情報）
Ｂ８    警報通知ボタン（通知関連情報）
Ｂ９    管理人通知ボタン（通知関連情報）
Ｂ１０    宅配通知ボタン（通知関連情報）
Ｐ１，Ｐ５    画像（取得情報）
Ｐ３１〜Ｐ３７    取得情報
Ｒ１    第１表示領域（情報表示領域）
Ｒ２    第２表示領域（遷移関連表示領域）
Ｒ３    第３表示領域（操作関連表示領域）
Ｒ４    第４表示領域（操作切替表示領域）
Ｒ５    第５表示領域（状態表示領域）
Ｒ６    第６表示領域（通知表示領域）
【図１】
2020077348.tif 000003
【図２】
2020077348.tif 000004
【図３】
2020077348.tif 000005
【図４】
2020077348.tif 000006
【図５】
2020077348.tif 000007
【図６】
2020077348.tif 000008
【図７】
2020077348.tif 000009
【図８】
2020077348.tif 000010
【図９】
2020077348.tif 000011
【図１０】
2020077348.tif 000012
【図１１】
2020077348.tif 000013
【図１２】
2020077348.tif 000014
【図１３】
2020077348.tif 000015
【図１４】
2020077348.tif 000016
【図１５】
2020077348.tif 000017
【図１６】
2020077348.tif 000018
【図１７】
2020077348.tif 000019
【図１８】
2020077348.tif 000020
【図１９】
2020077348.tif 000021
【図２０】
2020077348.tif 000022
【図２１】
2020077348.tif 000023
【図２２】
2020077348.tif 000024
【図２３】
2020077348.tif 000025
【図２４】
2020077348.tif 000026
【図２５】
2020077348.tif 000027
【図２６】
2020077348.tif 000028
【図２７】
2020077348.tif 000029
【図２８】
2020077348.tif 000030
【図２９】
2020077348.tif 000031
【図３０】
2020077348.tif 000032
【図３１】
2020077348.tif 000033
【図３２】
2020077348.tif 000034
【図３３】
2020077348.tif 000035
【図３４】
2020077348.tif 000036
【図３５】
2020077348.tif 000037
【図３６】
2020077348.tif 000038
【図３７】
2020077348.tif 000039
【図３８】
2020077348.tif 000040
【図３９】
2020077348.tif 000041
【図４０】
2020077348.tif 000042
【図４１】
2020077348.tif 000043
【図４２】
2020077348.tif 000044
【図４３】
2020077348.tif 000045
【図４４】
2020077348.tif 000046
【図４５】
2020077348.tif 000047
【図４６】
2020077348.tif 000048
【図４７】
2020077348.tif 000049
【図４８】
2020077348.tif 000050